(57)【要約】【課題】公知文献記載の液晶表示装置には、クロストーク、輝度傾斜、フリッカを生じるなどの課題があった。【解決手段】液晶パネルと、データ線駆動回路とを具備する液晶表示装置によって解決することができる。液晶パネルは、複数のデータ線と、複数の走査線との各交点に対応して、液晶セルをマトリクス状に配置する。データ線駆動回路は、複数のデータ線に、所定の表示信号を供給する。データ線駆動回路は、色（ＲＧＢ）と極性（正負）とを組み合わせた６種類の表示信号を切り替え、所定期間の間に、複数のデータ線それぞれに対して、６種類の表示信号を同じ回数ずつ供給する。【選択図】図２
2010102189.tif 000002
【特許請求の範囲】
【請求項１】
複数のデータ線と、複数の走査線との各交点に対応して、液晶セルをマトリクス状に配置した液晶パネルと、
前記複数のデータ線に、所定の表示信号を供給するデータ線駆動回路とを具備し、
前記データ線駆動回路は、
第１色の画像データに対応した正極性の第１表示信号と、
前記第１色の画像データに対応した負極性の第２表示信号と、
第２色の画像データに対応した正極性の第３表示信号と、
前記第２色の画像データに対応した負極性の第４表示信号と、
第３色の画像データに対応した正極性の第５表示信号と、
前記第３色の画像データに対応した負極性の第６表示信号との６種類の表示信号を含む表示信号を切り替え、所定期間の間に、前記複数のデータ線それぞれに対して、前記６種類の表示信号を同じ回数ずつ供給する
液晶表示装置。
【請求項２】
請求項１に記載の液晶表示装置であって、
前記液晶パネルは、
ｎを自然数とした場合に、第１方向の液晶セル数がｎ個で、前記複数のデータ線又は前記複数の走査線の少なくともいずれか一方の線の数が２ｎ本であって、前記データ線駆動回路から供給される表示信号に基づいて表示を行う
液晶表示装置。
【請求項３】
請求項２に記載の液晶表示装置であって、
前記第１方向は垂直方向で、前記複数の走査線の数が２ｎ本、カラー配列が縦ストライプ配列である液晶表示装置。
【請求項４】
請求項３に記載の液晶表示装置であって、
前記複数のデータ線の中で隣接する２つのデータ線間に配置される隣接する２つの液晶セルが、同一の走査線に接続されている液晶表示装置。
【請求項５】
請求項４に記載の液晶表示装置であって、
各データ線に供給する表示信号の電圧極性を１走査期間ごとに反転する液晶表示装置。
【請求項６】
請求項５に記載の液晶表示装置であって、
前記液晶パネルは、
遮光されるダミーの液晶セルを含み、前記第１方向の液晶セル数は、前記ダミーの液晶セルを除く有効液晶セル数であって、前記有効液晶セル数が前記ｎ個である
液晶表示装置。
【請求項７】
請求項２に記載の液晶表示装置であって、
前記第１方向は垂直方向で、前記複数の走査線の数が２ｎ本、４色のカラー配列が２×２配列である液晶表示装置。
【請求項８】
請求項７に記載の液晶表示装置であって、
前記データ線駆動回路は、
前記第１〜第６表示信号と共に、
第４色の画像データに対応した正極性の第７表示信号と、
前記第４色の画像データに対応した負極性の第８表示信号との８種類の表示信号を含む表示信号を切り替え、所定期間の間に、前記複数のデータ線それぞれに対して、前記８種類の表示信号を同じ回数ずつ供給する表示装置。
【請求項９】
請求項２に記載の液晶表示装置であって、
前記第１方向は水平方向で、前記複数のデータ線の数が２ｎ本、カラー配列が横ストライプ配列である液晶表示装置。
【請求項１０】
第１色の画像データに対応した正極性の第１表示信号と、
前記第１色の画像データに対応した負極性の第２表示信号と、
第２色の画像データに対応した正極性の第３表示信号と、
前記第２色の画像データに対応した負極性の第４表示信号と、
第３色の画像データに対応した正極性の第５表示信号と、
前記第３色の画像データに対応した負極性の第６表示信号との６種類の表示信号を、第１の一定期間の間に、一のデータ線に対し、同じ回数ずつ切り替えて供給することと、
前記６種類の表示信号を、前記第１の一定期間と同じ長さの第２の一定期間の間に、前記一のデータ線に対し、前記同じ回数と同数ずつ切り替えて供給することとを含む
液晶表示装置の駆動方法。
【発明の詳細な説明】
【技術分野】
【０００１】
本発明は、アクティブマトリクス型液晶表示装置に関し、特にアクティブ素子として薄膜トランジスタ（Ｔｈｉｎ  Ｆｉｌｍ  Ｔｒａｎｓｉｓｔｏｒ：ＴＦＴ）を用いたアクティブマトリクス型液晶表示装置に関する。
【背景技術】
【０００２】
液晶セルが行列型に配置されたマトリックス型表示装置は、最も典型的な表示デバイスの１つである。液晶表示装置には、走査線と、データ線とが設けられる。走査線には、液晶セルの行を選択するための走査信号が供給される。データ線には、表示信号が供給される。走査線とデータ線とが交差する位置それぞれに、液晶セルが配置される。液晶セルは、ＴＦＴと画素電極とを含む。画素電極と、これに対向する共通電極との間には液晶が満たされる。
【０００３】
液晶表示装置は、ゲートドライバＩＣと、データドライバＩＣ、信号制御部（Ｔ／Ｃ）、カラーフィルタ、バックライト、電源などの部品を備えている。ゲートドライバＩＣは、走査線に走査信号を供給する。データドライバＩＣは、データ線に表示信号を供給する。
【０００４】
また、液晶表示装置では、液晶材料の劣化を抑制するために、画素電極に供給される表示信号の電圧極性を所定の期間ごとに反転する。この反転方式には、フレーム反転駆動、カラム反転駆動、ライン反転駆動、ドット反転駆動などの方式がある。このなかで、ドット反転駆動は、隣接する液晶セルの電圧極性が異なるように駆動する方式で、画質が良いことが知られている。
【０００５】
ノーマルな配列の液晶パネルにおけるドット反転駆動の特徴を挙げる。
１．コモン電極の電圧は固定している。
２．走査線は順次走査（プログレッシブ、ノンインターレース）である。
３．隣接する２つのデータ線の表示信号の電圧極性が異なる。
４．データ線に供給する表示信号の電圧極性を１水平期間ごとに反転する。
【０００６】
しかし、特開平１０−０７３８４３号公報（特許文献１（図１、図４）参照）のように、隣接する２つのデータ線の電圧極性が同じであっても、ＴＦＴと走査線、データ線との接続によっては、前述の４つの特徴をすべて満足していなくても、ドット反転駆動を実現できる。そこで、液晶セルの電圧極性が、見掛け上、ある液晶セルと上下左右に隣接する液晶セルとの電圧極性が異なることをドット反転表示（ｄｏｔ  ｉｎｖｅｒｓｉｏｎ  ｐａｔｔｅｒｎ）と呼ぶことにする。
【０００７】
ところで、特許文献１や特開２００６−１７８４６１号公報（特許文献２（図４、図６）参照）は、２倍走査線方式について記載している。２倍走査線方式は、データドライバＩＣのコスト低減のために、データ線の数を１／２にすることによって、データドライバＩＣの数を低減する技術である。走査線の数を２倍にし、１本のデータ線を隣接する２つの液晶セルで共用する。走査線の数が２倍に増えるが、液晶セルが形成される基板上に走査線駆動回路を形成すれば、走査線の数が２倍になってもコストが増加することはない。
【０００８】
特許文献１における２倍走査線方式では、表示信号の電圧極性を１走査期間ごとに反転して、ドット反転表示している。特許文献２における２倍走査線方式では、データ線に供給する表示信号の電圧極性を１フレームごとに反転し、カラム反転駆動（列反転駆動）を行っている。カラム反転駆動では、縦ストライプパターンでフリッカを生じる。そのため、データ線を蛇行させ、見掛け反転をカラム反転とドット反転を混合した表示にして画質を向上している。
【０００９】
特許文献１、２には、２つのデータ線間に配置された隣接する２つの液晶セルを同時に走査する。これにより、先に走査された液晶セルが、後に走査される液晶セルの表示信号の影響を受けて画素電極の電圧が変動することを抑制している。
【００１０】
また、特開平０７−２９５５１５号公報（特許文献３（図１）参照）では、カラーフィルタの配列をＲＧＢ横ストライプにして、走査線を３倍、データ線を１／３にしてデータドライバＩＣの数を低減している。３倍走査線方式と呼ぶことにする。
【００１１】
しかしながら、３倍走査線方式では、走査線の数が増加すると、画素電極への書き込みが不十分になり画質が悪化する。この画質悪化の原因は２つある。１つめが、１走査期間が、従来比１／３に短くなることである。２つめが、１つのデータ線には従来比３倍のＴＦＴ素子が接続されるため、データ線の寄生容量が大きくなることである。従って、１走査期間が短くなるだけでなく、寄生容量も大きくなるので表示信号の波形が鈍り、画素電極への書き込み不足を生じて画質が悪化する。
【００１２】
３倍走査線方式は、２倍走査線方式に比べて、データドライバＩＣの低減効果が高いことはいうまでもない。しかしながら、書き込み不足の問題だけではなく、駆動周波数も高いことから、データドライバＩＣの発熱、ＥＭＩが大きくなるなどの多くの副作用を伴う。そのため、高精細化には限界がある。
【００１３】
それから、特開２００８−１１６９６４号公報（特許文献４（図１８）参照）のように、走査線を３／２倍、データ線を２／３倍にして、データドライバＩＣの数を低減する技術もある。
【００１４】
２倍走査線方式では、３倍走査線方式に比べて、画素電極への書き込み不足の問題はやや解消されるため、３倍走査線方式よりも高精細化に対応することができる。
【００１５】
【特許文献１】特開平１０−０７３８４３号公報（図１、図４）
【特許文献２】特開２００６−１７８４６１号公報（図４、図６）
【特許文献３】特開平０７−２９５５１５号公報（図１）
【特許文献４】特開２００８−１１６９６４号公報（図１８）
【発明の開示】
【発明が解決しようとする課題】
【００１６】
２倍走査線方式である特許文献１の技術だけでは、シアン、マゼンダ、イエローなどの中間調ラスタパターンで縦ムラを生じる。この主原因は、走査線が非選択時に生じるＴＦＴのオフリーク電流により、画素電極の電圧が変動するためである。カラーフィルタがＲＧＢ３色の縦ストライプ配列のときに、データ線を共用する２つの液晶セルの組み合わせとして、液晶セルＲと液晶セルＧ、液晶セルＧと液晶セルＢ、液晶セルＢと液晶セルＲの３通りある。ここで、液晶セルＧに注目すると、液晶セルＲと共用する列と、液晶セルＢと共用する列とが混在する。そのため、シアンやイエローの中間調ラスタパターンなど、液晶セルＲの表示信号と、液晶セルＢの表示信号とが異なるときには縦ムラを生じる。他の色の液晶セルＲ、Ｂに注目しても同様である。このように、特許文献１の２倍走査線方式では、共用する液晶セルの色の違いによってクロストークが生じるという課題がある。
【００１７】
また、特許文献２の技術はカラム反転駆動であるため、パネルの上下方向で輝度傾斜を生じ、ウィンドウパターンで縦クロストークを生じる。最初に走査される行の液晶セルでは、画素電極の電圧に対して同一極性の表示信号がほぼ全期間にわたって供給される。最後に走査される行の液晶セルでは、画素電極の電圧に対して反対極性の表示信号がほぼ全期間にわたって供給される。そのため、場所によりＴＦＴのオフリーク電流値が大きく異なるので、輝度傾斜、クロストークが改善されることはない。従って、データ線を蛇行させただけでは、縦ストライプパターンのフリッカを抑制できても、輝度傾斜、クロストークを抑制することはできないという課題がある。
【００１８】
特許文献４では、１走査期間に２行の画素を選択する。画素配列からＲ行とＧ行、Ｇ行とＢ行、Ｂ行とＲ行が同時に選択される。Ｒ，Ｇ，Ｂの３色のうち、１色が非表示レベルで２色が中間階調レベルである縦ストライプパターンなどでは、コモン電圧の変動量が異なるので、フリッカやクロストークを生じるという課題がある。
【課題を解決するための手段】
【００１９】
以下に、［発明を実施するための最良の形態］で使用される番号・符号を用いて、［課題を解決するための手段］を説明する。これらの番号・符号は、［特許請求の範囲］の記載と［発明を実施するための最良の形態］との対応関係を明らかにするために括弧付きで付加されたものである。ただし、それらの番号・符号を、［特許請求の範囲］に記載されている発明の技術的範囲の解釈に用いてはならない。
【００２０】
本発明の一つ目のアスペクトによる液晶表示装置（１）は、液晶パネル（２）と、データ線駆動回路（３ａ，３ｂ）とを具備する。液晶パネル（２）は、複数のデータ線（Ｄ１，Ｄ２，Ｄ３，・・・）と、複数の走査線（Ｇ１，Ｇ２，Ｇ３，・・・）との各交点に対応して、液晶セルをマトリクス状に配置する。データ線駆動回路（３ａ，３ｂ）は、複数のデータ線（Ｄ１，Ｄ２，Ｄ３，・・・）に、所定の表示信号を供給する。データ線駆動回路（３ａ，３ｂ）は、第１色の画像データに対応した正極性の第１表示信号と、第１色の画像データに対応した負極性の第２表示信号と、第２色の画像データに対応した正極性の第３表示信号と、第２色の画像データに対応した負極性の第４表示信号と、第３色の画像データに対応した正極性の第５表示信号と、第３色の画像データに対応した負極性の第６表示信号との６種類の表示信号を含む表示信号を切り替える。また、所定期間の間に、複数のデータ線（Ｄ１，Ｄ２，Ｄ３，・・・）それぞれに対して、６種類の表示信号を同じ回数ずつ供給する。
【００２１】
液晶パネル（２）は、ｎを自然数とした場合に、第１方向の液晶セル数がｎ個で、複数のデータ線（Ｄ１，Ｄ２，Ｄ３，・・・）又は複数の走査線（Ｇ１，Ｇ２，Ｇ３，・・・）の少なくともいずれか一方の線の数が２ｎ本であって、データ線駆動回路（３ａ，３ｂ）から供給される表示信号に基づいて表示を行うものとすることができる。このような液晶パネル（２）としては、第１方向が垂直方向で、複数の走査線（Ｇ１，Ｇ２，Ｇ３，・・・）の数が２ｎ本、カラー配列が縦ストライプ配列であるもの、第１方向が垂直方向で、複数の走査線（Ｇ１，Ｇ２，Ｇ３，・・・）の数が２ｎ本、４色のカラー配列が２×２配列であるもの、第１方向が水平方向で、複数のデータ線（Ｄ１，Ｄ２，Ｄ３，・・・）の数が２ｎ本、カラー配列が横ストライプ配列であるものなどを製造することができる。
【００２２】
本発明の二つ目のアスペクトによる液晶表示装置の駆動方法は、同じ回数ずつ切り替えて供給することと、同じ回数と同数ずつ切り替えて供給することとを含む。同じ回数ずつ切り替えて供給することにおいては、６種類の表示信号を、第１の一定期間の間に、一のデータ線に対し、同じ回数ずつ切り替えて供給する。６種類の表示信号とは、第１色の画像データに対応した正極性の第１表示信号と、第１色の画像データに対応した負極性の第２表示信号と、第２色の画像データに対応した正極性の第３表示信号と、第２色の画像データに対応した負極性の第４表示信号と、第３色の画像データに対応した正極性の第５表示信号と、第３色の画像データに対応した負極性の第６表示信号との６種類の表示信号である。同じ回数と同数ずつ切り替えて供給することにおいては、６種類の表示信号を、第１の一定期間と同じ長さの第２の一定期間の間に、一のデータ線に対し、同じ回数と同数ずつ切り替えて供給する。
【発明の効果】
【００２３】
本発明によれば、とりわけ２倍走査線方式の液晶表示装置において、輝度傾斜やクロストークがほぼ無い良好な画質を得ることができる。
【発明を実施するための最良の形態】
【００２４】
《第１の実施の形態》
本発明を実施するための最良の形態の一つについて、図面を参照して詳細に説明する。図１は、液晶表示装置の構成説明図である。図１において、液晶表示装置１は、ＴＦＴ素子を含む液晶セルをマトリクス状に配置した液晶パネル２を備えている。液晶パネル２には、液晶セルの行を選択する走査線（Ｇ１，Ｇ２，・・・，Ｇ２ｎ−１，Ｇ２ｎ）と、表示信号が供給されるデータ線（Ｄ１，Ｄ２，・・・，Ｄｍ／２，Ｄｍ／２＋１）とが設けられる。液晶セルは、データ線と走査線とが交差する位置ごとに配置され、ＴＦＴ、画素電極を有し、画素電極に対向する共通電極との間には液晶が満たされる。ＴＦＴのゲート電極は走査線に接続され、ＴＦＴのソース電極はデータ線に接続され、ＴＦＴのドレイン電極は画素電極に接続される。走査線はゲート線と、データ線はソース線と呼ばれることがある。
【００２５】
各走査線には、走査信号を供給する走査線駆動回路５ａ，５ｂが接続される。走査線駆動回路５ａ，５ｂは、電圧精度を必要としない、高速動作を必要としないことから、液晶パネル２上に形成することができる。走査信号の波形鈍りによって水平方向での輝度傾斜を生じないように、１つの走査線を左右の両側に形成した走査線駆動回路５ａ，５ｂで同時に駆動するのがより好ましい。
【００２６】
各データ線には、表示信号を供給するデータ線駆動回路３ａ，３ｂが接続される。図１では、データ線駆動回路を２個使用する例を示している。なお、電源、バックライトなどは図示していない。
【００２７】
データ線駆動回路３ａ，３ｂ及び走査線駆動回路５ａ，５ｂは、信号制御部１０で生成された制御信号で制御される。図示していないが、信号制御部１０には、水平同期信号Ｈｓｙｎｃ、垂直同期信号Ｖｓｙｎｃ、画像データＤＡＴ、クロック信号ＣＬＫなどが供給される。信号制御部１０は、各液晶セルの色と極性に対応するように、画像データの入れ換え処理を行い、入れ換え処理した画像データをデータ線駆動回路３ａ，３ｂに供給する。また、ＲＥＳ信号やＰＯＬ信号などの制御信号を生成してデータ線駆動回路３ａ，３ｂに供給する。
【００２８】
図１の液晶表示装置１は、ＲＧＢ縦ストライプ配列のＷＸＧＡ（Ｗｉｄｅ  ｅＸｔｅｎｄｅｄ  Ｇｒａｐｈｉｃｓ  Ａｒｒａｙ：１２８０×７６８画素）であるとし、第１方向を垂直方向とし、第２方向を水平方向とした場合、第１方向の有効垂直液晶セル数は７６８個であり、第２方向の有効水平液晶セル数は１２８０×３＝３８４０個である。さらに、液晶表示装置１は、２倍走査線方式（ＲＧＢ縦ストライプ配列）であるとし、１つの行に２本の走査線を設けるとした場合、走査線総数は、ダミー液晶セルを除く有効垂直液晶セル数の２倍の１５３６本になる。それから、液晶表示装置１は、１つの行において、１つのデータ線は隣接する２つの液晶セルで共用するものとするので、データ線総数は、ダミー液晶セルを除く有効水平液晶セル数の１／２で、１９２０本になる。
【００２９】
詳細は後述するが、本実施の形態では、ダミー列を含めた液晶セルの配置になるので、データ線は１９２０本＋α（α：自然数）となる。ドット反転駆動対応のデータ線駆動回路３ａ，３ｂでは、正極及び負極のＤ／Ａ変換部が同数ずつあるので、データ線駆動回路３ａ，３ｂの出力数は偶数である方がよい。例えば、９６２出力のデータ線駆動回路３ａ，３ｂを１つの液晶パネルで２個使用することができる。
【００３０】
３色（Ｒ，Ｇ，Ｂ）と２つの電圧極性（正極，負極）を組み合わせた表示信号は６通りある。これらの表示信号を区別するため、液晶セルにＲ（レッド色：赤）の画像データに対応した正極の表示信号を供給する場合、その表示信号を「Ｒ，正」信号（又は第１表示信号）と表す。液晶セルにＲ（レッド色：赤）の画像データに対応した負極の表示信号を供給する場合、その表示信号を「Ｒ，負」信号（又は第２表示信号）と表す。液晶セルにＧ（グリーン色：緑）の画像データに対応した正極の表示信号を供給する場合、その表示信号を「Ｇ，正」信号（又は第３表示信号）と表す。液晶セルにＧ（グリーン色：緑）の画像データに対応した負極の表示信号を供給する場合、その表示信号を「Ｇ，負」信号（又は第４表示信号）と表す。液晶セルにＢ（ブルー色：青）の画像データに対応した正極の表示信号を供給する場合、その表示信号を「Ｂ，正」信号（又は第５表示信号）と表す。液晶セルにＢ（ブルー色：青）の画像データに対応した負極の表示信号を供給する場合、その表示信号を「Ｂ，負」信号（又は第６表示信号）と表す。
【００３１】
本実施の形態においては、ＲＧＢ縦ストライプ配列で、第１方向を垂直方向とし、１つの行に２本の走査線を設け、かつ、１つのデータ線は隣接する２つの液晶セルで共用する液晶パネル２において、１つのブロックが走査される所定期間の間に、各データ線に６通りの表示信号を同じ回数ずつ供給して、表示ムラを抑制する。そのための液晶セル、データ線、走査線の配置の具体例を図２〜１０に示して説明する。
【００３２】
〔配置例１〕
図２を参照して、配置例１の走査線、データ線、液晶セルの配置について説明する。カラーフィルタの配列は、ＲＧＢ３色の縦ストライプ配列である。説明の便宜上、液晶セルの各列に、左から順に符号を割り振る。１列目をＧｄ１列とし、２列目をＢｄ１列とし、３列目をＲ１列とし、４列目をＧ１列とし、５列目をＢ１列とし、・・・、１２列目をＲ４列とし、１３列目をＧ４列とし、１４列目をＢ４列とし、１５列目をＲｄ２列とし、１６列目をＧｄ２列とする。有効水平液晶セルは、Ｒ１列からＢ４列までの１２列である。
【００３３】
Ｒ１列、Ｒ２列、Ｒ３列、Ｒ４列の液晶セルは、レッド色のカラーフィルタで被覆され、Ｇ１列、Ｇ２列、Ｇ３列、Ｇ４列の液晶セルは、グリーン色のカラーフィルタで被覆され、Ｂ１列、Ｂ２列、Ｂ３列、Ｂ４列の液晶セルは、ブルー色のカラーフィルタで被覆される。左右２列ずつ（Ｇｄ１、Ｂｄ１、Ｒｄ２、Ｇｄ２）はダミー列であり、遮光される。また、レッド色のカラーフィルタで被覆された液晶セルを液晶セルＲと呼び、グリーン色のカラーフィルタで被覆された液晶セルを液晶セルＧと呼び、ブルー色のカラーフィルタで被覆された液晶セルを液晶セルＢと呼ぶことがある。
【００３４】
１画素は、３列（ＲＧＢ）×１行の３つの液晶セルで成るとする。配置例１における液晶表示装置１は、図示するように、Ｒ１列からＢ４列までの１２列分と、１行から６行までの６行分の１２列６行（４×６画素）のマトリクス配置された液晶セル群を１つのブロックとしている。ＷＸＧＡでは、全体で、３２０×１２８ブロック必要である。
【００３５】
図２に示すように、液晶パネル２の有効表示領域の左右の両側にダミー列Ｇｄ１、Ｂｄ１、Ｒｄ２、Ｇｄ２を設ける。ただし、ブロックを区別するために、以下、図２の点線部で囲まれたＲ１〜Ｂ４列と１〜６行のブロックを第１ブロックと言い、図示していないが、第１ブロックの下側に位置する７〜１２行のブロックを第２ブロックと言うことがある。ただし、図２では、有効表示領域が第１ブロックの液晶セルのみとしたときに、その左右にダミー列の液晶セルを配置している。実際には、複数ブロックから構成され、ブロック間にはダミー列は存在しない。
【００３６】
一つのブロックは、多数の液晶セルを含む。そこで、Ｒ１列１行目の液晶セルを液晶セル（Ｒ１，１）と表し、Ｇ１列１行目の液晶セルを液晶セル（Ｇ１，１）と表し、Ｂ１列１行目の液晶セルを液晶セル（Ｂ１，１）と表して特定する。その他の液晶セルも同様であり、例えば、Ｒ３列２行目の液晶セルは液晶セル（Ｒ３，２）と表す。
【００３７】
各行の液晶セルには、一対の走査線が接続される。これらの走査線を特定するため、第１行の液晶セルに接続される一対の走査線を、走査線Ｇ１，Ｇ２と表す。その他も同様であり、第１行から第ｎ行までの液晶セルに接続される一対の走査線を、それぞれ、走査線Ｇ１，Ｇ２、走査線Ｇ３，Ｇ４、・・・、走査線Ｇ２ｎ−１，Ｇ２ｎ（ｎ：自然数）と表す。
【００３８】
１行目の液晶セルと走査線Ｇ１，Ｇ２との接続関係について説明する。液晶セル（Ｇｄ１，１）、液晶セル（Ｇ１，１）、液晶セル（Ｂ１，１）、液晶セル（Ｂ２，１）、液晶セル（Ｒ３，１）、液晶セル（Ｒ４，１）と液晶セル（Ｇ４，１）は、走査線Ｇ１に接続されている。液晶セル（Ｂｄ１，１）、液晶セル（Ｒ１，１）、液晶セル（Ｒ２，１）、液晶セル（Ｇ２，１）、液晶セル（Ｇ３，１）、液晶セル（Ｂ３，１）と液晶セル（Ｂ４，１）は、走査線Ｇ２に接続されている。
【００３９】
１行目の液晶セルとデータ線Ｄ２，Ｄ３との接続関係について説明する。液晶セル（Ｒ１，１）、液晶セル（Ｇ１，１）は、データ線Ｄ２に接続されている。液晶セル（Ｂ１，１）、液晶セル（Ｒ２，１）は、データ線Ｄ３に接続されている。１つの行において、ＲＧＢの液晶セルは４列ごとに繰り返して配置されている。そこで、ここでは、液晶セルと２つのデータ線Ｄ２，Ｄ３との接続関係を説明し、液晶セルと他のデータ線との接続関係の説明を割愛する。
【００４０】
液晶セル（Ｇ１，１）と液晶セル（Ｂ１，１）のように、本実施の形態においては、２つのデータ線間に配置された隣接する２つの液晶セルが同一の走査線に接続される。そのため、先に走査された液晶セルの電圧が、後で走査される液晶セルからの影響を受けることによって、画素電極の電圧が変動する現象が抑制される。つまり、画素電極−画素電極間のカップリング容量によるクロストークを、互いにデータ線の接続先が異なる隣接する２つの液晶セルを同時に走査することで抑制している。この技術は、特許文献１（図４）、特許文献２（図４）などで知られている。しかしながら、クロストークの原因が他にもあるので画質は良くない。
【００４１】
本実施の形態では、ＴＦＴがオフ時のリーク電流によるクロストーク、及び画素電極−データ線間のカップリング容量によるクロストークによる縦ムラを低減するために以下の技術がさらに施される。まず、各データ線は蛇行して形成される。蛇行の仕方には特徴があり、１行目と２行目の間で右に１液晶セル分だけ蛇行し、２行目と３行目の間で右に１液晶セル分だけ蛇行する。３行目と４行目の間では蛇行しない。４行目と５行目の間で左に１液晶セル分だけ蛇行し、５行目と６行目の間で左に１液晶セル分だけ蛇行する。６行目と７行目（第２ブロックの１行目）の間では蛇行しない。２回蛇行することで、各データ線は、異なる列の同一色の液晶セルと接続する。
【００４２】
２行目以降の液晶セルと走査線との接続関係について説明する。Ｒ１列、Ｇ１列、Ｂ１列、Ｒ２列の４列について説明する。４列目ごとに繰り返し配置されるので、他の列については説明を割愛する。まず、２行目の液晶セルの配列は、１行目の液晶セルの配列を右に１液晶セル分だけ移動した配置である。液晶セル（Ｂ１，２）と液晶セル（Ｒ２，２）は、走査線Ｇ３に接続され、液晶セル（Ｒ１，２）と液晶セル（Ｇ１，２）は、走査線Ｇ４に接続される。３行目の液晶セルの配列は、２行目の液晶セルの配列を右に１液晶セル分だけ移動した配置である。液晶セル（Ｒ１，３）と液晶セル（Ｒ２，３）は、走査線Ｇ５に接続され、液晶セル（Ｇ１，３）と液晶セル（Ｂ１，３）は、走査線Ｇ６に接続される。
【００４３】
４〜６行目の液晶セルの配列は、３行目と４行目の中間線を中心軸として１〜３行目の液晶セルの配列をミラー反転した配置である。液晶セル（Ｇ１，４）と液晶セル（Ｂ１，４）は、走査線Ｇ７に接続され、液晶セル（Ｒ１，４）と液晶セル（Ｒ２，４）は、走査線Ｇ８に接続される。５行目の液晶セルの配列は、４行目の液晶セルの配列を左に１液晶セル分だけ移動した配置である。液晶セル（Ｒ１，５）と液晶セル（Ｇ１，５）は、走査線Ｇ９に接続され、液晶セル（Ｂ１，５）と液晶セル（Ｒ２，５）は、走査線Ｇ１０に接続される。６行目の液晶セルの配列は、５行目の液晶セルの配列を左に１液晶セル分だけ移動した配置である。液晶セル（Ｒ１，６）と液晶セル（Ｒ２，６）は、走査線Ｇ１１に接続され、液晶セル（Ｇ１，６）と液晶セル（Ｂ１，６）は、走査線Ｇ１２に接続される。ただし、カラーフィルタの配列はＲＧＢ縦ストライプのままである。
【００４４】
液晶セルとデータ線Ｄ２，Ｄ３との接続関係について説明する。液晶セル（Ｇ１，１）、液晶セル（Ｒ１，１）、液晶セル（Ｂ１，２）、液晶セル（Ｇ１，２）、液晶セル（Ｒ２，３）、液晶セル（Ｂ１，３）、液晶セル（Ｂ１，４）、液晶セル（Ｒ２，４）、液晶セル（Ｇ１，５）、液晶セル（Ｂ１，５）、液晶セル（Ｒ１，６）、液晶セル（Ｇ１，６）は、データ線Ｄ２に接続される。図２の網掛け部分がデータ線Ｄ２に接続される液晶セルである。液晶セル（Ｂ１，１）、液晶セル（Ｒ２，１）、液晶セル（Ｒ２，２）、液晶セル（Ｇ２，２）、液晶セル（Ｇ２，３）、液晶セル（Ｂ２，３）、液晶セル（Ｂ２，４）、液晶セル（Ｇ２，４）、液晶セル（Ｇ２，５）、液晶セル（Ｒ２，５）、液晶セル（Ｒ２，６）、液晶セル（Ｂ１，６）は、データ線Ｄ３に接続される。他のデータ線Ｄ１、Ｄ４〜Ｄ７と液晶セルとの接続は、色と画素電極に供給される表示信号の電圧極性が異なるが、データ線Ｄ４，Ｄ６は、データ線Ｄ２と同様な接続、データ線Ｄ１，Ｄ５，Ｄ７は、データ線Ｄ３と同様な接続なので説明を割愛する。
【００４５】
ダミー列の液晶セルについて説明する。第１ブロックにおいて、データ線Ｄ１，Ｄ７が、ダミー列の液晶セルに接続しないと、他のデータ線Ｄ２〜Ｄ６と寄生容量が異なってしまう。データ線のインピーダンスが異なると表示信号の波形が異なり、表示ムラを生じる。この表示ムラを抑制するためには、各データ線のインピーダンスが同じになるようにしなければならない。そこで、データ線Ｄ１に、液晶セル（Ｇｄ１，１）、液晶セル（Ｂｄ１，１）、液晶セル（Ｂｄ１，２）、液晶セル（Ｒ１，２）、液晶セル（Ｒ１，３）、液晶セル（Ｇ１，３）、液晶セル（Ｒ１，４）、液晶セル（Ｇ１，４）、液晶セル（Ｂｄ１，５）、液晶セル（Ｒ１，５）、液晶セル（Ｇｄ１，６）、液晶セル（Ｂｄ１，６）を接続する。データ線Ｄ７にも、データ線Ｄ１と同様にダミー列の液晶セルを接続する。実際には、複数ブロックから構成されるので、第１ブロックが液晶パネル２の左端のブロックだとすれば、データ線Ｄ７は、図示しない隣接するブロックの有効表示領域の液晶セルに接続する。
【００４６】
図１の液晶表示装置１におけるデータ線駆動回路３ａ，３ｂは、ドット反転駆動対応であるとする。図３を参照して、データ線駆動回路３ａ，３ｂの構成について説明する。図３では、４つのデータ線Ｄ１〜Ｄ４に対応する部分的な回路構成のみを示している。本実施の形態において、データ線駆動回路３ａ，３ｂは、正極の表示信号を出力する正極駆動部５０、負極の表示信号を出力する負極駆動部６０、極性切換部７０、出力端子８１〜８４を備える。図示しないが、画像データやクロック信号、電源などの入力端子、タイミング制御部、シフトレジスタ、データバッファ、データラッチ、レベルシフト部、保護部なども含んでいる。
【００４７】
振幅変調の液晶駆動では、データ線駆動回路３ａ，３ｂの駆動部５０，６０に高精度が要求されるため、駆動部５０，６０は、シリコンなどの半導体基板上に集積される。データ線駆動回路３ａ，３ｂの実装形態としては、ＣＯＧ（Ｃｈｉｐ  ｏｎ  Ｇｌａｓｓ）、ＣＯＦ（Ｃｈｉｐ  ｏｎ  Ｆｉｌｍ）、ＴＣＰ（Ｔａｐｅ  Ｃａｒｒｉｅｒ  Ｐａｃｋａｇｅ）などがある。データ線駆動回路３ａ，３ｂの出力端子８１〜８４は、それぞれデータ線Ｄ１〜Ｄ４と異方性導電膜（Ａｎｉｓｏｔｒｏｐｉｃ  Ｃｏｎｄｕｃｔｉｖｅ  Ｆｉｌｍ：ＡＣＦ）などを介して接続される。
【００４８】
正極駆動部５０は、画像データに応じた正極の表示信号を出力する。正極駆動部５０は、正極Ｄ／Ａ変換５１、スイッチ５２、５３、及び正極階調電圧生成部５５を備える。正極Ｄ／Ａ変換５１とノードｐ１との間にスイッチ５２を設け、ノードｐ１と共通線ｃ１との間にスイッチ５３を設ける。
【００４９】
負極駆動部６０は、画像データに応じた負極の表示信号を出力する。負極駆動部６０は、負極Ｄ／Ａ変換６１、スイッチ６２、６３、及び負極階調電圧生成部６５を備える。負極Ｄ／Ａ変換６１とノードｎ１との間にスイッチ６２を設け、ノードｎ１と共通線ｃ１との間にスイッチ６３を設ける。
【００５０】
データ線駆動回路３ａ，３ｂの発熱を低減するために、正極駆動部５０及び負極駆動部６０は液晶駆動電圧の半分の電圧で動作させる。正極駆動部５０は、ＧＮＤ（０Ｖ）とＶＰＨ（６Ｖ）の電圧で動作する。負極駆動部６０は、ＶＮＬ（−６Ｖ）とＧＮＤ（０Ｖ）の電圧で動作する。正極駆動部５０及び負極駆動部６０は、中圧素子で形成する。中圧素子の耐圧は、例えば７Ｖである。基準電圧値をＧＮＤ（０Ｖ）としたが、基準電圧値が８Ｖなどでもよい。正極駆動部５０は、８Ｖと１６Ｖで動作し、負極駆動部６０は、０Ｖと８Ｖで動作させてもよい。中圧素子の耐圧は、例えば９Ｖである。
【００５１】
正極Ｄ／Ａ変換部５１及び負極Ｄ／Ａ変換部６１は、デコーダ部、階調選択部及びバッファアンプを備える。階調選択部は、画像データに応じた階調信号を選択する。バッファアンプは、インピーダンス変換された表示信号を出力する。正極Ｄ／Ａ変換部５１、負極Ｄ／Ａ変換部６１の数は、それぞれ（データ線数÷２）である。なお、正極階調電圧生成部５５及び負極階調電圧生成部６５は、データ線駆動回路３ａ，３ｂにそれぞれ１個あればよい。正極駆動部５０と負極駆動部６０は、ディープウェルやＳＯＩ（Ｓｉｌｉｃｏｎ  ｏｎ  Ｉｎｓｕｌａｔｏｒ）などで電気的に分離する。
【００５２】
正極階調電圧生成部５５は、基準電圧を抵抗ストリングなどで分圧して正極の階調電圧を生成する。同様に、負極階調電圧生成部６５は、基準電圧を抵抗ストリングなどで分圧して負極の階調電圧を生成する。
【００５３】
極性切換部７０は、複数のスイッチ７１〜７４を備える。ノードｐ１と出力端子８１との間にスイッチ７１を設け、ノードｐ１と出力端子８２との間にスイッチ７２を設け、ノードｎ１と出力端子８１との間にスイッチ７３を設け、ノードｎ１と出力端子８２との間にスイッチ７４を設ける。極性切換部７０は、ＶＮＬ（−６Ｖ）以下とＶＰＨ（６Ｖ）以上の電圧で動作する。例えば、走査非選択電圧Ｖｇｏｆｆ（−１５Ｖ）と走査選択電圧Ｖｇｏｎ（２０Ｖ）とを用いて動作させてもよい。括弧内の電圧値は、設定例であって、この電圧値に限らない。極性切換部７０は、高圧素子で形成される。高圧素子の耐圧は、例えば１３Ｖや３８Ｖである。
【００５４】
極性切換部７０は、走査線駆動回路５ａ，５ｂと同様に液晶パネル２上に形成してもよい。スイッチ７１〜７４の各オン抵抗値をＲｏｎとすると、Ｒｏｎに比例する熱が発生する。極性切換部７０を液晶パネル２上に形成することで、発生する熱を液晶パネル２に分散することができ、データ線駆動回路３ａ，３ｂの温度上昇を低減することができる。
【００５５】
さらに、液晶パネル２上のデータ線駆動回路３ａ，３ｂと反対側に、中和スイッチ４を設けてもよい。中和スイッチ４は、各データ線同士をショートする。１走査期間（以下、１Ｇ期間ともいう。）ごとのプリチャージ時間を短縮できるだけでなく、プリチャージ時の熱を液晶パネル２上に分散してデータ線駆動回路３ａ，３ｂの温度上昇を低減することができる。さらにデータ線駆動回路３ａ，３ｂの電源線への電流集中が緩和でき、ＥＭＩを低減することができる。
【００５６】
次に、各走査線、各データ線、コモン電極の駆動方法について説明する。本実施の形態では、ドット反転駆動する。つまり、走査線は順次駆動（走査線Ｇ１→Ｇ２→Ｇ３→Ｇ４・・・Ｇ２ｎ−１→Ｇ２ｎの順に駆動）し、コモン電極の電圧（コモン電圧）は固定される。隣接するデータ線は電圧極性が異なり、データ線に供給する表示信号の電圧極性は１走査期間ごとに反転する。また、各液晶セルの電圧極性は１フレームごとに反転する。走査線は、連続する２本の走査線（Ｇ２ｉ−１、Ｇ２ｉ）を１つの走査グループとして、各走査グループ内の走査順序を１又は２フレーム期間ごとに入れ換えてもよい。具体的には、第１及び第２フレーム期間に走査線Ｇ１→Ｇ２→Ｇ３→Ｇ４→・・・→Ｇ２ｉ−１→Ｇ２ｉ→・・・→Ｇ２ｎ−１→Ｇ２ｎの順に駆動し、第３及び第４フレーム期間に走査線Ｇ２→Ｇ１→Ｇ４→Ｇ３→・・・→Ｇ２ｉ→Ｇ２ｉ−１→・・・→Ｇ２ｎ→Ｇ２ｎ−１の順に駆動してもよい。ここで、水平同期信号Ｈｓｙｎｃの間隔を１水平期間（以下、１Ｈ期間ともいう。）とすれば、１Ｇ期間＝１／２水平期間（１／２Ｈ期間）である。そして、本実施の形態の液晶セルの配列によれば、見掛け反転はドット反転表示になる。
【００５７】
１Ｇ期間が短くなり、画素電極への書き込み時間が短くなると、前の表示信号の影響を受けてクロストークが生じ易くなる。前の表示信号の影響を軽減するには、走査線を選択する前に、各データ線の電圧を同じ電圧にすればよい。そのために、表示信号を１Ｇ期間ごとに中間電圧にプリチャージするか、全データ線同士をショートして各データ線を中間電圧付近にする。１Ｇ期間ごとにプリチャージすれば、プリチャージ後の駆動の方向が同じになるので、データ線駆動回路３ａ，３ｂからの距離に応じた階調電圧の補正が容易になる。例えば、階調電圧生成部５５、６５で生成する階調電圧を、データ線駆動回路３ａ，３ｂからの距離に応じて補正する。
【００５８】
表示信号を１Ｇ期間ごとに反転すると、カラム反転駆動に比べてデータ線での消費電力が増加する。しかし、データ線駆動回路３ａ，３ｂを１Ｇ反転専用にすれば、正極用のバッファアンプは立ち上げ専用のアンプ、負極用のバッファアンプは立ち下げ専用のアンプでよいことから回路構成を簡素化できる。また、１Ｇ反転以外の駆動を行うには、極性切換部７０の各スイッチは、トランスファスイッチにし、また、オン抵抗が階調電圧に依存しないようにする必要がある。しかし、１Ｇ反転専用であれば、スイッチ７１、７２はＰｃｈトランジスタ、スイッチ７３、７４はＮｃｈトランジスタにすることができる。したがって、１Ｇ反転専用のメリットをいくつか挙げると、１つ目は、アンプで消費する電流を低減できることであり、２つ目は、データ線駆動回路３ａ，３ｂのチップサイズを低減できることである。
【００５９】
図４のタイミングチャートを参照してデータ線駆動回路３ａ，３ｂの動作について説明する。図４において、水平同期信号Ｈｓｙｎｃは、１水平期間ごとに同期をとるための制御信号であり、１水平期間の半分の長さの時間が１走査期間（１Ｇ＝１／２Ｈ）になっている。極性制御信号ＰＯＬは、表示信号の極性を制御する信号である。リセット信号ＲＥＳは、データ線をプリチャージするための制御信号である。表示信号Ｄ１，Ｄ２は、データ線駆動回路３ａ，３ｂから出力されるアナログ信号である。走査信号Ｇ１〜Ｇ６は、走査線駆動回路５ａ，５ｂから出力されるデジタル信号である。
【００６０】
リセット信号ＲＥＳが“Ｈ”の時に、スイッチ５２，６２がターンオフ、スイッチ５３，６３がターンオンする。リセット信号ＲＥＳが“Ｌ”の時に、スイッチ５２，６２がターンオン、スイッチ５３，６３がターンオフする。また、極性制御信号ＰＯＬが“Ｈ”の時に、スイッチ７１，７４がターンオン、スイッチ７２，７３がターンオフする。極性制御信号ＰＯＬが“Ｌ”の時に、スイッチ７１，７４がターンオフ、スイッチ７２，７３がターンオンする。
【００６１】
図４において、時刻ｔ１に、選択していた走査線が非選択レベル（Ｖｇｏｆｆ）になり、次の走査線が選択されるまでの期間にリセット信号ＲＥＳが“Ｈ”になる。リセット信号ＲＥＳが“Ｈ”で、スイッチ５２，６２がターンオフし、スイッチ５３，６３がターンオンし、各データ線を基準電圧にプリチャージする。時刻ｔ２に、リセット信号ＲＥＳが“Ｌ”になると、スイッチ５２，６２がターンオンし、スイッチ５３，６３がターンオフし、また、極性制御信号ＰＯＬが“Ｈ”になると、スイッチ７１，７４がターンオンし、スイッチ７２，７３はターンオフする。このとき、出力端子８１，８３から正極の表示信号が出力され、出力端子８２，８４から負極の表示信号が出力される。時刻ｔ３に、時刻ｔ１と同様に各データ線を基準電圧にプリチャージする。時刻ｔ４に、リセット信号ＲＥＳが“Ｌ”になると、スイッチ５２，６２がターンオンし、スイッチ５３，６３がターンオフし、また、極性制御信号ＰＯＬが“Ｌ”になると、スイッチ７１，７４がターンオフし、スイッチ７２，７３はターンオンする。このとき、出力端子８１，８３から負極の表示信号が出力され、出力端子８２，８４から正極の表示信号が出力される。
【００６２】
データ線Ｄ２に接続された液晶セル（Ｒ１，１）、（Ｇ１，１）、（Ｇ１，２）、（Ｂ１，２）、・・・、（Ｒ１，６）、（Ｇ１，６）に供給される表示信号の色と極性とを説明する。走査線Ｇ１から走査線Ｇ６に接続された液晶セル（Ｇ１，１）、（Ｒ１，１）、（Ｂ１，２）、（Ｇ１，２）、（Ｒ２，３）、（Ｂ１，３）には、データ線駆動回路３ａ，３ｂによって、「Ｇ，負」信号→「Ｒ，正」信号→「Ｂ，負」信号→「Ｇ，正」信号→「Ｒ，負」信号→「Ｂ，正」信号が順に供給される。走査線Ｇ７から走査線Ｇ１２の液晶セル（Ｂ１，４）、（Ｒ２，４）、（Ｇ１，５）、（Ｂ１，５）、（Ｒ１，６）、（Ｇ１，６）には、データ線駆動回路３ａ，３ｂによって、「Ｂ，負」信号→「Ｒ，正」信号→「Ｇ，負」信号→「Ｂ，正」信号→「Ｒ，負」信号→「Ｇ，正」信号が順に供給される。
【００６３】
データ線駆動回路３ａ，３ｂは、走査線Ｇ１から走査線Ｇ６までが選択される３Ｈ期間に第１から第６表示信号の６通りの表示信号を１回ずつ供給している。また、データ線駆動回路３ａ，３ｂは、走査線Ｇ７から走査線Ｇ１２が選択される３Ｈ期間にも６通りの表示信号を１回ずつ供給している。つまり、１つのブロックに着目すると、データ線駆動回路３ａ，３ｂは、６Ｈ期間に、第１から第６表示信号までの６通りの表示信号を同じ回数（２回）ずつ供給している。他のデータ線Ｄ１，Ｄ３〜Ｄ７も、「色，極性」信号の順序は異なるが、同様である。すなわち、各データ線には、６Ｈ期間に６通りの表示信号が同じ回数（２回）ずつ供給されている。
【００６４】
このように、本実施の形態におけるデータ線駆動回路３ａ，３ｂは、１つのブロックが走査される所定期間の間に、６通りの表示信号を同じ回数ずつ供給する。これにより、各液晶セルの色と極性に応じたリーク電流の総和が均一になるので、表示ムラが抑制される。また、データ線に供給する表示信号の電圧極性を１Ｇ期間ごとに反転しているので、上下方向での輝度傾斜、及びウィンドウパターンでの縦クロストークが抑制される。
【００６５】
液晶表示装置において、横クロストークの主原因は、コモン電圧の揺れによるものである。コモン電圧の電圧極性を１走査期間ごとに反転するライン反転駆動では、同一走査期間に、各データ線からは同一極性の表示信号が供給されることからコモン電圧が不安定になり横クロストークを生じ易い。ドット反転駆動では、同一走査期間において、正極の表示信号の電圧レベルの総和と、負極の表示信号の電圧レベルの総和がほぼ同じなのでコモン電圧は安定する。本実施の形態によれば、１ブロック内の１つの走査線に接続される６つの液晶セルには、第１から第６表示信号の６通りの表示信号が供給されることから、コモン電圧が安定し、横クロストークを抑制することができる。
【００６６】
２倍走査線方式の液晶パネルでは、画素電極−画素電極間のカップリング容量によるクロストーク、画素電極−データ線間のカップリング容量によるクロストーク、ＴＦＴのオフリーク電流によるクロストーク、コモン電圧の揺れによるクロストークなどの表示ムラが生じる。しかし、本実施の形態では、それらのクロストークの原因を同時に抑制して良好な画質を得ることができる。
【００６７】
〔配置例２〕
図２のデータ線Ｄ２に注目する。液晶セル（Ｇ１，１）、液晶セル（Ｇ１，２）、液晶セル（Ｂ１，２）などでは、データ線Ｄ２は、液晶セルの２つの辺に沿って配置されている。液晶セル(Ｒ１，１)、液晶セル（Ｒ２，３）などでは、データ線Ｄ２は、液晶セルと１つの辺に沿って配置されている。したがって、データ線が蛇行する行と、蛇行しない行の液晶セルとでは、データ線とのカップリング容量に差が生じる。
【００６８】
そこで、このカップリング容量の差を解消してみる。図５に示す配置例２は、図２の変形例である。配置例２では、データ線と各液晶セルとのカップリング容量を同じにするために、データ線にダミー線を設けることによって、各液晶セルとデータ線のカップリング容量を同じにする。ダミー線は、０行目（仮想したもの。）と１行目、３行目と４行目、６行目と７行目（第２ブロックの１行目）のデータ線が蛇行しない部分に付ける。また、１行目のダミー線とゲート線とのカップリング容量の影響を同じにするために、走査線Ｇ１と並列にダミー走査線Ｇ０を設ける。ダミー走査線は１つの液晶パネルで上下１本ずつ追加する。
【００６９】
〔配置例３〕
図６に示す配置例３は、図２のバリエーションの一つであり、図２との大きな違いは、１ブロックを１２列×１２行の液晶セルで構成する点と、半数の行（２行，３行，６行，７行，１０行，１１行）の液晶セルのＴＦＴの位置を反対にした点である。配置例３によれば、表示信号の電圧極性を１Ｇ期間ごとに反転させても、２Ｈ１Ｖドット反転表示をすることができる。
【００７０】
２行目の４つの液晶セル（Ｒ１，２）、（Ｇ１，２）、（Ｂ１，２）、（Ｒ２，２）について説明すると、走査線Ｇ３には、液晶セル（Ｒ１，２）、（Ｇ１，２）を接続し、走査線Ｇ４には、液晶セル（Ｂ１，２）、（Ｒ２，２）を接続する。３行目の４つの液晶セル（Ｒ１，３）、（Ｇ１，３）、（Ｂ１，３）、（Ｒ２，３）について説明すると、走査線Ｇ５には、液晶セル（Ｇ１，３）、（Ｂ１，３）を接続し、走査線Ｇ６には、液晶セル（Ｒ１，３）、（Ｒ２，３）を接続する。６行目の４つの液晶セル（Ｒ１，６）、（Ｇ１，６）、（Ｂ１，６）、（Ｒ２，６）について説明すると、走査線Ｇ１１には、液晶セル（Ｇ１，６）、（Ｂ１，６）を接続し、走査線Ｇ１２には、液晶セル（Ｒ１，６）、（Ｒ２，６）を接続する。
【００７１】
図６の網掛け部分がデータ線Ｄ２に接続される液晶セルである。まず、１行目から６行目までについて、データ線Ｄ２に接続された液晶セル（Ｒ１，１）、（Ｇ１，１）、（Ｇ１，２）、（Ｂ１，２）、・・・、（Ｒ１，６）、（Ｇ１，６）に対して供給される表示信号の色と極性とを説明する。走査線Ｇ１から走査線Ｇ６に接続された液晶セル（Ｇ１，１）、（Ｒ１，１）、（Ｇ１，２）、（Ｂ１，２）、（Ｂ１，３）、（Ｒ２，３）には、データ線駆動回路によって、「Ｇ，負」信号→「Ｒ，正」信号→「Ｇ，負」信号→「Ｂ，正」信号→「Ｂ，負」信号→「Ｒ，正」信号が順に供給される。走査線Ｇ７から走査線Ｇ１２の液晶セル（Ｂ１，４）、（Ｒ２，４）、（Ｇ１，５）、（Ｂ１，５）、（Ｇ１，６）、（Ｒ１，６）には、データ線駆動回路によって、「Ｂ，負」信号→「Ｒ，正」信号→「Ｇ，負」信号→「Ｂ，正」信号→「Ｇ，負」信号→「Ｒ，正」信号が順に供給される。
【００７２】
７行目の４つの液晶セル（Ｒ１，７）、（Ｇ１，７）、（Ｂ１，７）、（Ｒ２，７）について説明すると、走査線Ｇ１３には、液晶セル（Ｒ１，７）、（Ｒ２，７）を接続し、走査線Ｇ１４には、液晶セル（Ｇ１，７）、（Ｂ１，７）を接続する。１０行目の４つの液晶セル（Ｒ１，１０）、（Ｇ１，１０）、（Ｂ１，１０）、（Ｒ２，１０）について説明すると、走査線Ｇ１９には、液晶セル（Ｒ１，１０）、（Ｒ２，１０）を接続し、走査線Ｇ２０には、液晶セル（Ｇ１，１０）、（Ｂ１，１０）を接続する。１１行目の４つの液晶セル（Ｒ１，１１）、（Ｇ１，１１）、（Ｂ１，１１）、（Ｒ２，１１）について説明すると、走査線Ｇ２１には、液晶セル（Ｂ１，１１）、（Ｒ２，１１）を接続し、走査線Ｇ２２には、液晶セル（Ｒ１，１１）、（Ｇ１，１１）を接続する。
【００７３】
７行目から１２行目までについて、データ線Ｄ２に接続された液晶セル（Ｒ１，７）、（Ｇ１，７）、（Ｇ１，８）、（Ｂ１，８）、・・・、（Ｒ１，１２）、（Ｇ１，１２）に対して供給される表示信号の色と極性とを説明する。走査線Ｇ１３から走査線Ｇ１８に接続された液晶セル（Ｒ１，７）、（Ｇ１，７）、（Ｂ１，８）、（Ｇ１，８）、（Ｒ２，９）、（Ｂ１，９）には、データ線駆動回路によって、「Ｒ，負」信号→「Ｇ，正」信号→「Ｂ，負」信号→「Ｇ，正」信号→「Ｒ，負」信号→「Ｂ，正」信号が順に供給される。走査線Ｇ１９から走査線Ｇ２４の液晶セル（Ｒ２，１０）、（Ｂ１，１０）、（Ｂ１，１１）、（Ｇ１，１１）、（Ｒ１，１２）、（Ｇ１，１２）には、データ線駆動回路によって、「Ｒ，負」信号→「Ｂ，正」信号→「Ｂ，負」信号→「Ｇ，正」信号→「Ｒ，負」信号→「Ｇ，正」信号が順に供給される。
【００７４】
１行目から１２行目までの１つのブロックに着目すると、データ線Ｄ２には、１２Ｈ期間に６通りの表示信号が４回ずつ供給される。その他のデータ線も同様であり、各データ線には、１つのブロックが走査される１２Ｈ期間に、６通りの表示信号がそれぞれ４回ずつ供給される。
【００７５】
１ブロックを１２行にした理由は、同一極性が４行連続するのを避けるためである。例えば、図６のＲ１列を参照すると、１行目から１２行目までにおける液晶セルの極性は、“＋＋−−＋＋−−＋＋−−”となっている。また、Ｇ１列を参照すると、１行目から１２行目まで、液晶セルの極性は、“−−＋＋−−＋＋−−＋＋”となっている。１ブロックを６行とし、“−−＋＋−−”を繰り返すと、上下２ブロックで、“−−＋＋−−−−＋＋−−”となり、同一極性が４行連続してしまう。
【００７６】
配置例３においては、液晶セルのＴＦＴの位置を変更することによって、表示信号の電圧極性を１Ｇ期間ごとに反転しても、２Ｈ１Ｖドット反転表示にすることができる。
【００７７】
〔配置例４〕
図７は、図２における液晶セルのＴＦＴの位置を反対にした例である。図７において、１行目は、走査線Ｇ１に液晶セル（Ｒ１，１）、液晶セル（Ｒ２，１）、液晶セル（Ｇ２，１）を接続し、走査線Ｇ２に液晶セル（Ｇ１，１）、液晶セル（Ｂ１，１）、液晶セル（Ｂ２，１）を接続している。２行目は、走査線Ｇ３に液晶セル（Ｒ１，２）、液晶セル（Ｇ１，２）、液晶セル（Ｇ２，２）、液晶セル（Ｂ２，２）を接続し、走査線Ｇ４に液晶セル（Ｂ１，２）、液晶セル（Ｒ２，２）を接続している。３行目は、走査線Ｇ５に液晶セル（Ｇ１，３）、液晶セル（Ｂ１，３）、液晶セル（Ｂ２，３）を接続し、走査線Ｇ６に液晶セル（Ｒ１，３）、液晶セル（Ｒ２，３）、液晶セル（Ｇ２，３）を接続している。
【００７８】
〔配置例５〕
図８は、図２の例と比べて、蛇行の方向が異なる例である。図８において、１行目は、データ線Ｄ２に液晶セル（Ｂ１，１）、液晶セル（Ｒ２，１）を接続し、データ線Ｄ３に液晶セル（Ｂ２，１）、液晶セル（Ｇ２，１）を接続している。２行目は、データ線Ｄ２に液晶セル（Ｂ１，２）、液晶セル（Ｇ１，２）を接続し、データ線Ｄ３に液晶セル（Ｒ２，２）、液晶セル（Ｇ２，２）を接続している。３行目は、データ線Ｄ２に液晶セル（Ｒ１，３）、液晶セル（Ｇ１，３）を接続し、データ線Ｄ３に液晶セル（Ｒ２，３）、液晶セル（Ｂ１，３）を接続している。
【００７９】
データ線Ｄ２に接続された液晶セル（Ｂ１，１）、（Ｒ２，１）、（Ｂ１，２）、（Ｇ１，２）、（Ｒ１，３）、（Ｇ１，３）に供給される表示信号の色と極性は、図示されている通り、「Ｂ，正」信号→「Ｒ，負」信号→「Ｂ，負」信号→「Ｇ，正」信号→「Ｒ，正」信号→「Ｇ，負」信号の順である。データ線Ｄ３に接続された液晶セル（Ｂ２，１）、（Ｇ２，１）、（Ｒ２，２）、（Ｇ２，２）、（Ｒ２，３）、（Ｂ１，３）に供給される表示信号の色と極性は、図示されている通り、「Ｂ，負」信号→「Ｇ，正」信号→「Ｒ，正」信号→「Ｇ，負」信号→「Ｒ，負」信号→「Ｂ，正」信号の順である。
【００８０】
〔配置例６〕
図９は、データ線を共用する液晶セルの組み合わせが異なる例である。各ブロックにおいて、データ線が１本追加になり、ダミー列も２列追加になる。図９において、１行目は、データ線Ｄ２に液晶セル（Ｂｄ１，１）、液晶セル（Ｒ１，１）を接続し、データ線Ｄ３に液晶セル（Ｇ１，１）、液晶セル（Ｂ１，１）を接続している。２行目は、データ線Ｄ２に液晶セル（Ｒ１，２）、液晶セル（Ｇ１，２）を接続し、データ線Ｄ３に液晶セル（Ｂ１，２）、液晶セル（Ｒ２，２）を接続している。３行目は、データ線Ｄ２に液晶セル（Ｇ１，３）、液晶セル（Ｂ１，３）を接続し、データ線Ｄ３に液晶セル（Ｒ２，３）、液晶セル（Ｇ２，３）を接続している。
【００８１】
データ線Ｄ２に接続された液晶セル（Ｂｄ１，１）、（Ｒ１，１）、（Ｒ１，２）、（Ｇ１，２）、（Ｇ１，３）、（Ｂ１，３）に供給される表示信号の色と極性は、（不図示：「Ｂ，正」信号→）「Ｒ，負」信号→「Ｒ，正」信号→「Ｇ，負」信号→「Ｇ，正」信号→「Ｂ，負」信号の順である。データ線Ｄ３に接続された液晶セル（Ｂ１，１）、（Ｇ１，１）、（Ｒ２，２）、（Ｂ１，２）、（Ｇ２，３）、（Ｒ２，３）に供給される表示信号の色と極性は、図示されている通り、「Ｂ，負」信号→「Ｇ，正」信号→「Ｒ，負」信号→「Ｂ，正」信号→「Ｇ，負」信号→「Ｒ，正」信号の順である。
【００８２】
〔配置例７〕
図１０は、データ線を蛇行させない例である。図１０において、１行目は、データ線Ｄ２に液晶セル（Ｒ１，１）、液晶セル（Ｇ１，１）を接続し、データ線Ｄ３に液晶セル（Ｂ１，１）、液晶セル（Ｒ２，１）を接続している。２行目は、データ線Ｄ２に液晶セル（Ｇ１，２）、液晶セル（Ｂ１，２）を接続し、データ線Ｄ３に液晶セル（Ｒ２，２）、液晶セル（Ｇ２，２）を接続している。３行目は、データ線Ｄ２に液晶セル（Ｂ１，３）、液晶セル（Ｒ２，３）を接続し、データ線Ｄ３に液晶セル（Ｇ２，３）、液晶セル（Ｂ２，３）を接続している。
【００８３】
データ線Ｄ２に接続された液晶セル（Ｇ１，１）、（Ｒ１，１）、（Ｂ１，２）、（Ｇ１，２）、（Ｒ２，３）、（Ｂ１，３）に供給される表示信号の色と極性は、図示されている通り、「Ｇ，負」信号→「Ｒ，正」信号→「Ｂ，負」信号→「Ｇ，正」信号→「Ｒ，負」信号→「Ｂ，正」信号の順である。データ線Ｄ３に接続された液晶セル（Ｂ１，１）、（Ｒ２，１）、（Ｒ２，２）、（Ｇ２，２）、（Ｇ２，３）、（Ｂ２，３）に供給される表示信号の色と極性は、図示されている通り、「Ｂ，正」信号→「Ｒ，負」信号→「Ｒ，正」信号→「Ｇ，負」信号→「Ｇ，正」信号→「Ｂ，負」信号の順である。
【００８４】
〔配置例８〕
なお、１ブロックのデータ線の蛇行方法が以下であってもよい。まず、Ｌは０を含めた自然数、Ｋ＝３Ｌ＋２とすれば、右方向にＫ回１液晶セル分だけ蛇行し、１回蛇行しない、左方向にＫ回１液晶セル分だけ蛇行し、１回蛇行しない配列でもよい。しかし、信号制御部での画像データの入れ換えが複雑になるので、２回蛇行する方法が最も信号制御部が簡単になるであろう。また、ダミー列も増加するので２回蛇行が好ましい。
【００８５】
他の蛇行方法には、縦方向に２液晶セル分延び、２行目と３行目の間、４行目と５行目の間で右に１液晶セル分だけ蛇行し、また、８行目と９行目の間、１０行目と１１行目の間で左に１液晶セル分だけ蛇行してもよい。
【００８６】
《第２の実施の形態》
第２の実施の形態は、１画素は、Ｗ（ホワイト色：白）の液晶セルを追加した４色（ＲＧＢＷ）の２×２配列を備えている。Ｗ（ホワイト色：白）の液晶セルといっても、カラーフィルタが無い液晶セルのことである。カラーフィルタが無い分、光の透過率が高いため、白色バックライトの輝度を低下させて低消費電力を実現できる。
【００８７】
２×２配列のＷＸＧＡ（１２８０×７６８画素）であるとき、第１方向を垂直方向とし、第２方向を水平方向とした場合、第１方向の有効垂直液晶セル数は７６８×２＝１５３６個であり、第２方向の有効垂直液晶セル数は１２８０×２＝２５６０個である。さらに、液晶パネル２は、１つの行に２本の走査線を設けるので、走査線数は、有効垂直液晶セル数の２倍の３０７２本である。１つのデータ線は、隣接する液晶セルで共用するのでデータ線は有効水平液晶セル数の１／２の１２８０本になる。本実施の形態では、１つのブロックが走査される所定期間に、各データ線に８通りの表示信号が１回ずつ供給される。
【００８８】
〔配置例９〕
図１１を参照して配置例９について説明する。配置例９においては、１画素は、奇数行の液晶セルＲと液晶セルＧ、偶数行の液晶セルＢと液晶セルＷの２×２配列を備える。１画素を構成する４つの液晶セルは、同一のデータ線に接続している。配置例９では、液晶セルの列を、左から１列，２列，・・・，８列と数える。また、液晶セルを区別するため、例えば、３列目、２行目の液晶セルを液晶セル（３，２）などと表す。図１１では、液晶セル（１，１）がＲ（レッド色：赤）、液晶セル（２，１）がＧ（グリーン色：緑）、液晶セル（１，２）がＷ（ホワイト色：白）、液晶セル（２，３）がＢ（ブルー色：青）である。もちろん、色の配列は、このような配列以外であってもよい。
【００８９】
図１１における走査線と液晶セルとの接続関係について説明する。１行目では、走査線Ｇ１には、液晶セル（２，１）、液晶セル（３，１）、液晶セル（６，１）、液晶セル（７，１）を接続し、走査線Ｇ２には、液晶セル（１，１）、液晶セル（４，１）、液晶セル（５，１）、液晶セル（８，１）を接続する。２行目では、走査線Ｇ３には、液晶セル（１，２）、液晶セル（４，２）、液晶セル（５，２）、液晶セル（８，２）を接続し、走査線Ｇ４には、液晶セル（２，２）、液晶セル（３，２）、液晶セル（６，２）、液晶セル（７，２）を接続する。３行目は、２行目と同様に接続し、４行目は１行目と同様に接続する。
【００９０】
データ線と液晶セルとの接続関係について説明する。データ線Ｄ１には、順に液晶セル（２，１）、液晶セル（１，１）、液晶セル（１，２）、液晶セル（２，２）、液晶セル（１，３）、液晶セル（２，３）、液晶セル（２，４）、液晶セル（１，４）を接続する。データ線Ｄ２には、順に液晶セル（３，１）、液晶セル（４，１）、液晶セル（４，２）、液晶セル（３，２）、液晶セル（４，３）、液晶セル（３，３）、液晶セル（３，４）、液晶セル（４，４）を接続する。データ線Ｄ３は、データ線Ｄ１と同様に接続し、データ線Ｄ４は、データ線Ｄ２と同様に接続する。
【００９１】
各データ線に供給する表示信号の電圧極性は、１Ｇ期間ごとに反転させる。データ線Ｄ１，Ｄ４が同一極性で、データ線Ｄ２，Ｄ３は、データ線Ｄ１，Ｄ４と反対極性になる。図１１において、データ線Ｄ１，Ｄ４に流れる表示信号の極性は、“＋−＋−＋−＋−”の順であり、データ線Ｄ２，Ｄ３に流れる表示信号の極性は、“−＋−＋−＋−＋”の順である。１フレームごとに各液晶セルの電圧極性が反転する。配置例９では、各データ線へ、４色と２つの極性による８通りの表示信号が供給されるので、図２の例と同様に縦クロストークを抑制することができる。なお、配置例９においても、ＲＧＢ３色と２つの極性による６通りの表示信号に着目すると、これらの６種類の表示信号は、一つのブロックを走査する期間内に、各データ線に対して、同じ回数だけ供給されている。
【００９２】
配置例９は、４列と５列、８列と９列の液晶セルが、同一極性なのでドット反転表示ではない。しかし、同一色だけに注目すると、１Ｈ２Ｖドット反転表示と同等である。
【００９３】
１つの行には、２つの色の液晶セルがある。ある一つの行について、１走査期間に、「第１色，正極」信号が供給される第１液晶セル、「第１色，負極」信号が供給される第２液晶セル、「第２色，正極」信号が供給される第３液晶セル、「第２色，負極」信号が供給される第４液晶セルの４つの液晶セルが選択される。よって、図２の場合と同様に、横クロストークを抑制することができる。
【００９４】
以上説明したように、配置例９では、２倍走査線方式であっても、各データ線には、色（Ｋ種類）と極性（２種類）を組み合わせた２Ｋ通りの表示信号が、所定の期間に同じ回数ずつ供給されるので縦クロストークを抑制することができる。
【００９５】
《第３の実施の形態》
第３の実施の形態は、上述した特許文献４のクロストーク改善策となる例である。ＲＧＢ横ストライプ配列のＷＸＧＡ（１２８０×７６８画素）であるとき、第１方向を水平方向とし、第２方向を垂直方向とした場合、第１方向の有効水平液晶セル数は１２８０個であり、第２方向の有効垂直液晶セル数は７６８×３＝２３０４個である。さらに、液晶表示装置１は、１つの列に２本のデータ線を設け、データ線総数は、有効水平液晶セル数の２倍の２５６０本になる。本実施の形態では、１つのブロックが走査される所定期間に、各データ線に６通りの表示信号が１回ずつ供給される。
【００９６】
〔配置例１０〕
図１２に、配置例１０における液晶セル、データ線、走査線の配列説明図を示す。図示するように、配置例１０では、１つの走査線は隣接する２つの液晶セルで共用するものとするので、走査線総数は、有効垂直液晶セル数の１／２＋１で、１１５２＋１＝１１５３本になる。そして、走査線が蛇行している。破線で囲まれている６列×１２行の液晶セルが、１つのブロックとなる。ＷＸＧＡパネルでは、２１４×１９２ブロック必要である。説明の簡便化のために、第１ブロックの上下にダミー液晶セル（網掛けされた部分）を設けた。なお、ダミー液晶セルは遮光される。
【００９７】
破線で囲まれたブロック内の液晶セルを区別するため、上述した配置例と同様に、１列目の液晶セルを、液晶セル（１，Ｒ１），液晶セル（１，Ｇ１），液晶セル（１，Ｂ１），液晶セル（１，Ｒ２），液晶セル（１，Ｇ２），液晶セル（１，Ｂ２）などと表す。
【００９８】
図１２の破線で囲まれたブロックにおいて、１列目の液晶セルとデータ線Ｄ１，Ｄ２との接続関係について説明する。液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）は、データ線Ｄ１に接続されている。液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）は、データ線Ｄ２に接続されている。
【００９９】
１列目の液晶セルと走査線Ｇ２〜Ｇ７との接続関係について説明する。液晶セル（１，Ｒ１）、液晶セル（１，Ｇ１）は、走査線Ｇ２に接続されている。液晶セル（１，Ｂ１）、液晶セル（１，Ｒ２）は、走査線Ｇ３に接続されている。液晶セル（１，Ｇ２）、液晶セル（１，Ｂ２）は、走査線Ｇ４に接続されている。液晶セル（１，Ｒ３）、液晶セル（１，Ｇ３）は、走査線Ｇ３に接続されている。
【０１００】
図１２の破線で囲まれたブロックを走査する期間内に、データ線Ｄ１に接続された液晶セル（１，Ｇ１）、（１，Ｒ２）、（１，Ｂ２）、（１，Ｇ３）、（１，Ｒ４）、（１，Ｂ４）に供給される表示信号の色と極性とを説明する。図示されているとおり、データ線Ｄ１には、データ線駆動回路によって、「Ｇ，正」信号→「Ｒ，負」信号→「Ｂ，正」信号→「Ｇ，負」信号→「Ｒ，正」信号→「Ｂ，負」信号が順に供給されている。また、同ブロックを走査する期間内に、データ線Ｄ２に接続された液晶セル（１，Ｒ１）、（１，Ｂ１）、（１，Ｇ２）、（１，Ｒ３）、（１，Ｂ３）、（１，Ｇ４）に供給される表示信号の色と極性とを説明する。図示されているとおり、データ線Ｄ２には、データ線駆動回路によって、「Ｒ，負」信号→「Ｂ，正」信号→「Ｇ，負」信号→「Ｒ，正」信号→「Ｂ，負」信号→「Ｇ，正」信号が順に供給されている。
【０１０１】
このように、ＲＧＢ３色と極性との組み合わせとなる６通りの表示信号が画素に供給されるため、色によるコモン電圧の変動を抑制することができる。
【０１０２】
〔配置例１１〕
以降の配置例（配置例１１〜１８）においては、特許文献４のクロストーク改善策となる別の例である。ＲＧＢ横ストライプ配列のＷＸＧＡ（１２８０×７６８画素）であるとき、第１方向を水平方向とし、第２方向を垂直方向とした場合、第１方向の有効水平液晶セル数は１２８０個であり、第２方向の有効垂直液晶セル数は７６８×３＝２３０４個である。さらに、液晶表示装置１は、１つの列に２本のデータ線を設け、データ線総数は、有効水平液晶セル数の２倍の２５６０本になる。また、走査線総数は、ダミー液晶セルを除く有効垂直液晶セル数と同じ２３０４本になる。そして、走査線駆動回路は、１Ｇ期間に２本の走査線を同時に駆動する。
【０１０３】
図１３に、配置例１１における液晶セル、データ線、走査線の配列説明図を示す。本配置例では、走査線駆動回路は、１Ｇ期間に２本の走査線を駆動する。また、走査線駆動回路は、２つのフレームを走査するごとに、走査順序を変化させる。破線で囲まれている２列×１２行の液晶セルが、１つのブロックとなる。
【０１０４】
図１３の破線で囲まれたブロックにおいて、１列目の液晶セルとデータ線Ｄ１，Ｄ２との接続関係について説明する。液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）は、データ線Ｄ１に接続されている。液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）は、データ線Ｄ２に接続されている。
【０１０５】
１列目の液晶セルと走査線Ｇ１〜Ｇ１２との接続関係について説明する。液晶セル（１，Ｒ１）は走査線Ｇ１に接続され、液晶セル（１，Ｇ１）は走査線Ｇ２に接続され、液晶セル（１，Ｂ１）は走査線Ｇ３に接続されている。液晶セル（１，Ｒ２）は走査線Ｇ４に接続され、液晶セル（１，Ｇ２）は走査線Ｇ５に接続され、液晶セル（１，Ｂ２）は走査線Ｇ６に接続されている。液晶セル（１，Ｒ３）は走査線Ｇ７に接続され、液晶セル（１，Ｇ３）は走査線Ｇ８に接続され、液晶セル（１，Ｂ３）は走査線Ｇ９に接続されている。液晶セル（１，Ｒ４）は走査線Ｇ１０に接続され、液晶セル（１，Ｇ４）は走査線Ｇ１１に接続され、液晶セル（１，Ｂ４）は走査線Ｇ１２に接続されている。
【０１０６】
破線で囲まれたブロックを走査する期間内に、データ線Ｄ１に接続された液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）に供給される表示信号の色と極性とを説明する。図示されているとおり、データ線Ｄ１には、データ線駆動回路によって、「Ｒ，正」信号→「Ｂ，負」信号→「Ｇ，正」信号→「Ｒ，負」信号→「Ｂ，正」信号→「Ｇ，負」信号が順に供給されている。また、同ブロックを走査する期間内に、データ線Ｄ２に接続された液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）に供給される表示信号の色と極性とを説明する。図示されているとおり、データ線Ｄ２には、データ線駆動回路によって、「Ｇ，負」信号→「Ｒ，正」信号→「Ｂ，負」信号→「Ｇ，正」信号→「Ｒ，負」信号→「Ｂ，正」信号が順に供給されている。
【０１０７】
図１４に、フレームの切り替えに応じて走査順序を変化させた場合における表示信号の極性についての説明図を示す。図１３及び図１４に示すように、配置例１１においては、２本ずつ走査線を駆動し、また、２つのフレームを走査するたびに走査順序を変化させる。図１４において、第１、第２フレームでは、第１走査期間に走査線Ｇ１と走査線Ｇ２を同時に選択し、第２走査期間に走査線Ｇ３と走査線Ｇ４を同時に選択し、第３走査期間に走査線Ｇ５と走査線Ｇ６を同時に選択している。一方、第３、第４フレームでは、第１走査期間に走査線Ｇ０と走査線Ｇ１を同時に選択し、第２走査期間に走査線Ｇ２と走査線Ｇ３を同時に選択し、第３走査期間に走査線Ｇ４と走査線Ｇ５を同時に選択している。
【０１０８】
図１４において、第１フレームにおいて、液晶セルに供給される表示信号の極性は、図１３と同様である。図１４に示すように、第２フレームにおいて、データ線Ｄ１に接続された１列目の液晶セル（１，Ｒ１）、液晶セル（１，Ｂ１）、液晶セル（１，Ｇ２）に対しては、「Ｒ，負」信号→「Ｂ，正」信号→「Ｇ，負」信号が順に供給され、データ線Ｄ２に接続された１列目の液晶セル（１，Ｇ１）、液晶セル（１，Ｒ２）に対しては、「Ｇ，正」信号→「Ｒ，負」信号が順に供給される。また、第３フレームにおいて、データ線Ｄ１に接続された１列目の液晶セル（１，Ｒ１）、液晶セル（１，Ｂ１）、液晶セル（１，Ｇ２）に対しては、「Ｒ，正」信号→「Ｂ，負」信号→「Ｇ，正」信号が順に供給され、データ線Ｄ２に接続された１列目の液晶セル（１，Ｂ０）、液晶セル（１，Ｇ１）、液晶セル（１，Ｒ２）に対しては、「Ｂ，正」信号→「Ｇ，負」信号→「Ｒ，正」信号が順に供給される。また、第４フレームにおいて、データ線Ｄ１に接続された１列目の液晶セル（１，Ｒ１）、液晶セル（１，Ｂ１）、液晶セル（１，Ｇ２）に対しては、「Ｒ，負」信号→「Ｂ，正」信号→「Ｇ，負」信号が順に供給され、データ線Ｄ２に接続された１列目の液晶セル（１，Ｂ０）、液晶セル（１，Ｇ１）、液晶セル（１，Ｒ２）に対しては、「Ｂ，負」信号→「Ｇ，正」信号→「Ｒ，負」信号が順に供給される。
【０１０９】
図１４において、例えば、各フレームにおける第１走査期間（図中、[１]と表示。）に注目すると、第１、第２フレームでは、Ｒ１行とＧ１行とが同時に選択され、第３、第４フレームでは、Ｂ０行（ダミー）とＲ１行とが同時に選択されている。すなわち、Ｒ１行は、第３及び第４フレームではＢ０行のブルー色の影響を受け、第１及び第２フレームではＧ１行のグリーン色の影響を受ける。Ｇ１行、Ｂ１行なども同様である。従って、配置例１１においては、色によるクロストークの偏りを平均化できることがわかる。
【０１１０】
図１５Ａ〜図１５Ｄに、データ線駆動回路における極性切換部７０の構成説明図を示す。図１５Ａ〜図１５Ｄは、デジタル／アナログ変換によって生成された“＋−＋−”の極性を有する表示データを組み換えるときのスイッチ状態を示す説明図である。図１５Ａに、データ線Ｄ１，Ｄ２，Ｄ３，Ｄ４に“＋−＋−”の極性を有する表示信号を出力するときのスイッチ状態を示す（Ａ状態という。）。図１５Ｂに、データ線Ｄ１，Ｄ２，Ｄ３，Ｄ４に“−＋−＋”の極性を有する表示信号を出力するときのスイッチ状態を示す（Ｂ状態という。）。図１５Ｃに、データ線Ｄ１，Ｄ２，Ｄ３，Ｄ４に“＋＋−−”の極性を有する表示信号を出力するときのスイッチ状態を示す（Ｃ状態という。）。図１５Ｄに、データ線Ｄ１，Ｄ２，Ｄ３，Ｄ４に“−−＋＋”の極性を有する表示信号を出力するときのスイッチ状態を示す（Ｄ状態という。）。配置例１１における極性切換部７０は、第１及び第２フレームの間に、Ａ状態とＢ状態とを１走査期間ごとに切り換え、第３及び第４フレームの間に、Ｃ状態とＤ状態を１走査期間ごとに切り換える。
【０１１１】
〔配置例１２〕
図１６に、配置例１２の構成説明図を示す。図１６の例は、図１３の点線で囲まれた２列×１２行ブロックにおいて、２列目のＴＦＴの位置を変形させたものである。図１７Ａ及び図１７Ｂに、データ線駆動回路における極性切換部７０の構成説明図を示す。図１７Ａに、データ線Ｄ１，Ｄ２，Ｄ３，Ｄ４に“＋−−＋”の表示信号を出力するときのスイッチ状態を示す（Ｅ状態という。）。図１７Ｂに、データ線Ｄ１，Ｄ２，Ｄ３，Ｄ４に“−＋＋−”の表示信号を出力するときのスイッチ状態を示す（Ｆ状態という。）。
【０１１２】
図１６の変形例における極性切換部７０は、第１及び第２フレームの間に、Ｅ状態とＦ状態とを１走査期間ごとに切り換え、第３及び第４フレームの間に、Ｃ状態とＤ状態とを１走査期間ごとに切り換える。データ線Ｄ２，Ｄ３間の寄生容量が大きく、データ線Ｄ２とデータ線Ｄ３に供給されるデータ信号の電圧極性が異なっていると寄生容量の消費電流が大きくなる。そのため、本配置例では、データ線Ｄ２，Ｄ３に同一極性のデータ信号を供給して消費電流を低減している。ブロックは繰り返して配置されるので、データ線Ｄ４，Ｄ５に同一極性のデータ信号が供給される。
【０１１３】
〔配置例１３〕
図１８に、配置例１３の構成説明図を示す。配置例１３における一つのブロックは、２列×１２行である。図１８の破線で囲まれたブロックにおいて、１列目の液晶セルとデータ線Ｄ１，Ｄ２との接続関係について説明する。液晶セル（１，Ｒ１）、液晶セル（１，Ｇ１）、液晶セル（１，Ｂ１）、液晶セル（１，Ｒ４）、液晶セル（１，Ｇ４）、液晶セル（１，Ｂ４）は、データ線Ｄ１に接続されている。液晶セル（１，Ｒ２）、液晶セル（１，Ｇ２）、液晶セル（１，Ｂ２）、液晶セル（１，Ｒ３）、液晶セル（１，Ｇ３）、液晶セル（１，Ｂ３）は、データ線Ｄ２に接続されている。２列目の液晶セルとデータ線Ｄ３，Ｄ４との接続関係について説明する。液晶セル（２，Ｒ１）、液晶セル（２，Ｇ１）、液晶セル（２，Ｂ１）、液晶セル（２，Ｒ４）、液晶セル（２，Ｇ４）、液晶セル（２，Ｂ４）は、データ線Ｄ３に接続されている。液晶セル（２，Ｒ２）、液晶セル（２，Ｇ２）、液晶セル（２，Ｂ２）、液晶セル（２，Ｒ３）、液晶セル（２，Ｇ３）、液晶セル（２，Ｂ３）は、データ線Ｄ４に接続されている。
【０１１４】
１列目及び２列目の液晶セルと走査線Ｇ１〜Ｇ１２との接続関係について説明する。液晶セル（１，Ｒ１）と液晶セル（２，Ｒ１）は走査線Ｇ１に接続され、液晶セル（１，Ｇ１）及び液晶セル（２，Ｇ１）は走査線Ｇ２に接続され、液晶セル（１，Ｂ１）及び液晶セル（２，Ｂ１）は走査線Ｇ３に接続されている。液晶セル（１，Ｒ２）及び液晶セル（２，Ｒ２）は走査線Ｇ４に接続され、液晶セル（１，Ｇ２）及び液晶セル（２，Ｇ２）は走査線Ｇ５に接続され、液晶セル（１，Ｂ２）及び液晶セル（２，Ｂ２）は走査線Ｇ６に接続されている。液晶セル（１，Ｒ３）及び液晶セル（２，Ｒ３）は走査線Ｇ７に接続され、液晶セル（１，Ｇ３）及び液晶セル（２，Ｇ３）は走査線Ｇ８に接続され、液晶セル（１，Ｂ３）及び液晶セル（２，Ｂ３）は走査線Ｇ９に接続されている。液晶セル（１，Ｒ４）及び液晶セル（２，Ｒ４）は走査線Ｇ１０に接続され、液晶セル（１，Ｇ４）及び液晶セル（２，Ｇ４）は走査線Ｇ１１に接続され、液晶セル（１，Ｂ４）及び液晶セル（２，Ｂ４）は走査線Ｇ１２に接続されている。
【０１１５】
連続して配置された６本の走査線を一つの走査グループとして構成される。走査線Ｇ１から走査線Ｇ６の連続する６本の走査線を第１走査グループと呼ぶ。走査線Ｇ７から走査線Ｇ１２の連続する６本の走査線は第２走査グループと呼ぶ。以下同様に、走査線Ｇ（６ｉ−５）から走査線Ｇ６ｉは第ｉ走査グループと呼ぶ。ただしｉは自然数であり、液晶表示パネル２がＷＸＧＡに対応する画素数を有している場合には、ｉは、１以上３８４以下の自然数である。
【０１１６】
図１８の右端に走査順序が示されているように、配置例１３では、一つの走査グループ内の同一色の２つの走査線を同時に選択する。第１走査期間にレッド色に対応する走査線Ｇ１，Ｇ４を駆動し、第２走査期間にグリーン色に対応する走査線Ｇ２，Ｇ５を駆動し、第３走査期間にブルー色に対応する走査線Ｇ３，Ｇ６を駆動する。また、第４走査期間にレッド色に対応する走査線Ｇ７，Ｇ１０を駆動し、第５走査期間にグリーン色に対応する走査線Ｇ８，Ｇ１１を駆動し、第６走査期間にブルー色に対応する走査線Ｇ９，Ｇ１２を駆動する。この走査順序を、色に注目して、ＲＲ→ＧＧ→ＢＢと表す。配置例１３は、ドット反転表示であり、データ信号線は、１走査期間ごとに極性を反転する。なお、データ信号線の極性を３走査期間ごとに反転すると、ピクセル反転になる。
【０１１７】
破線で囲まれた２列×１２行のブロックを走査する６走査期間内に、データ線Ｄ１に接続された液晶セル（１，Ｒ１）、液晶セル（１，Ｇ１）、液晶セル（１，Ｂ１）、液晶セル（１，Ｒ４）、液晶セル（１，Ｇ４）、液晶セル（１，Ｂ４）に供給される表示信号の色と極性とを説明する。図示されているとおり、データ線Ｄ１には、データ線駆動回路によって、「Ｒ，正」信号→「Ｇ，負」信号→「Ｂ，正」信号→「Ｒ，負」信号→「Ｇ，正」信号→「Ｂ，負」信号が順に供給されている。また、データ線Ｄ２に接続された液晶セル（１，Ｒ２）、液晶セル（１，Ｇ２）、液晶セル（１，Ｂ２）、液晶セル（１，Ｒ３）、液晶セル（１，Ｇ３）、液晶セル（１，Ｂ３）には、図示されているとおり、「Ｒ，負」信号→「Ｇ，正」信号→「Ｂ，負」信号→「Ｒ，正」信号→「Ｇ，負」信号→「Ｂ，正」信号の表示信号が順に供給される。
【０１１８】
データ線Ｄ３に接続された液晶セル（２，Ｒ１）、液晶セル（２，Ｇ１）、液晶セル（２，Ｂ１）、液晶セル（２，Ｒ４）、液晶セル（２，Ｇ４）、液晶セル（２，Ｂ４）には、図示されているとおり、「Ｒ，負」信号→「Ｇ，正」信号→「Ｂ，負」信号→「Ｒ，正」信号→「Ｇ，負」信号→「Ｂ，正」信号の表示信号が順に供給される。また、データ線Ｄ４に接続された液晶セル（２，Ｒ２）、液晶セル（２，Ｇ２）、液晶セル（２，Ｂ２）、液晶セル（２，Ｒ３）、液晶セル（２，Ｇ３）、液晶セル（２，Ｂ３）には、図示されているとおり、「Ｒ，正」信号→「Ｇ，負」信号→「Ｂ，正」信号→「Ｒ，負」信号→「Ｇ，正」信号→「Ｂ，負」信号の表示信号が順に供給される。
【０１１９】
配置例１３の走査順序は、ＲＲ→ＧＧ→ＢＢであるが、この走査順序は、ＢＢ→ＧＧ→ＲＲ、ＢＲ→ＧＧ→ＲＢ、ＲＢ→ＧＧ→ＢＲなどであってもよい。
【０１２０】
〔配置例１４〕
図１９に、配置例１４の構成説明図を示す。図１９の破線で囲まれたブロックにおいて、１列目の液晶セルとデータ線Ｄ１，Ｄ２との接続関係について説明する。液晶セル（１，Ｒ１）、液晶セル（１，Ｂ１）、液晶セル（１，Ｇ２）、液晶セル（１，Ｇ３）、液晶セル（１，Ｒ４）、液晶セル（１，Ｂ４）は、データ線Ｄ１に接続されている。液晶セル（１，Ｇ１）、液晶セル（１，Ｒ２）、液晶セル（１，Ｂ２）、液晶セル（１，Ｒ３）、液晶セル（１，Ｂ３）、液晶セル（１，Ｇ４）は、データ線Ｄ２に接続されている。２列目の液晶セルとデータ線Ｄ３，Ｄ４との接続関係について説明する。液晶セル（２，Ｒ１）、液晶セル（２，Ｂ１）、液晶セル（２，Ｇ２）、液晶セル（２，Ｇ３）、液晶セル（２，Ｒ４）、液晶セル（２，Ｂ４）は、データ線Ｄ３に接続されている。液晶セル（２，Ｇ１）、液晶セル（２，Ｒ２）、液晶セル（２，Ｂ２）、液晶セル（２，Ｒ３）、液晶セル（２，Ｂ３）、液晶セル（２，Ｇ４）は、データ線Ｄ４に接続されている。
【０１２１】
１列目及び２列目の液晶セルと走査線Ｇ１〜Ｇ１２との接続関係について説明する。液晶セル（１，Ｒ１）と液晶セル（２，Ｒ１）は走査線Ｇ１に接続され、液晶セル（１，Ｇ１）及び液晶セル（２，Ｇ１）は走査線Ｇ２に接続され、液晶セル（１，Ｂ１）及び液晶セル（２，Ｂ１）は走査線Ｇ３に接続されている。液晶セル（１，Ｒ２）及び液晶セル（２，Ｒ２）は走査線Ｇ４に接続され、液晶セル（１，Ｇ２）及び液晶セル（２，Ｇ２）は走査線Ｇ５に接続され、液晶セル（１，Ｂ２）及び液晶セル（２，Ｂ２）は走査線Ｇ６に接続されている。液晶セル（１，Ｒ３）及び液晶セル（２，Ｒ３）は走査線Ｇ７に接続され、液晶セル（１，Ｇ３）及び液晶セル（２，Ｇ３）は走査線Ｇ８に接続され、液晶セル（１，Ｂ３）及び液晶セル（２，Ｂ３）は走査線Ｇ９に接続されている。液晶セル（１，Ｒ４）及び液晶セル（２，Ｒ４）は走査線Ｇ１０に接続され、液晶セル（１，Ｇ４）及び液晶セル（２，Ｇ４）は走査線Ｇ１１に接続され、液晶セル（１，Ｂ４）及び液晶セル（２，Ｂ４）は走査線Ｇ１２に接続されている。
【０１２２】
図１９の右端に説明されているように、配置例１４では、同一色の２つの走査線を同時に選択する。第１走査期間にレッド色に対応する走査線Ｇ１，Ｇ４を駆動し、第２走査期間にグリーン色に対応する走査線Ｇ２，Ｇ５を駆動し、第３走査期間にブルー色に対応する走査線Ｇ３，Ｇ６を駆動する。また、第４走査期間にレッド色に対応する走査線Ｇ７，Ｇ１０を駆動し、第５走査期間にグリーン色に対応する走査線Ｇ８，Ｇ１１を駆動し、第６走査期間にブルー色に対応する走査線Ｇ９，Ｇ１２を駆動する。配置例１４は、ドット反転表示であり、データ信号線は、３走査期間ごとに極性を反転する。なお、データ信号線の極性を１走査期間ごとに反転すると、ピクセル反転になる。
【０１２３】
破線で囲まれた２列×１２行のブロックを走査する６走査期間内に、データ線Ｄ１に接続された液晶セル（１，Ｒ１）、液晶セル（１，Ｂ１）、液晶セル（１，Ｇ２）、液晶セル（１，Ｇ３）、液晶セル（１，Ｒ４）、液晶セル（１，Ｂ４）に供給される表示信号の色と極性とを説明する。図示されているとおり、データ線Ｄ１には、データ線駆動回路によって、「Ｒ，正」信号→「Ｂ，正」信号→「Ｇ，正」信号→「Ｇ，負」信号→「Ｒ，負」信号→「Ｂ，負」信号が順に供給されている。また、データ線Ｄ２に接続された液晶セル（１，Ｇ１）、液晶セル（１，Ｒ２）、液晶セル（１，Ｂ２）、液晶セル（１，Ｒ３）、液晶セル（１，Ｂ３）、液晶セル（１，Ｇ４）には、図示されているとおり、「Ｇ，負」信号→「Ｒ，負」信号→「Ｂ，負」信号→「Ｒ，正」信号→「Ｂ，正」信号→「Ｇ，正」信号の表示信号が順に供給される。
【０１２４】
データ線Ｄ３に接続された液晶セル（２，Ｒ１）、液晶セル（２，Ｂ１）、液晶セル（２，Ｇ２）、液晶セル（２，Ｇ３）、液晶セル（２，Ｒ４）、液晶セル（２，Ｂ４）には、図示されているとおり、「Ｒ，負」信号→「Ｂ，負」信号→「Ｇ，負」信号→「Ｇ，正」信号→「Ｒ，正」信号→「Ｂ，正」信号の表示信号が順に供給される。また、データ線Ｄ４に接続された液晶セル（２，Ｇ１）、液晶セル（２，Ｒ２）、液晶セル（２，Ｂ２）、液晶セル（２，Ｒ３）、液晶セル（２，Ｂ３）、液晶セル（２，Ｇ４）には、図示されているとおり、「Ｇ，正」信号→「Ｒ，正」信号→「Ｂ，正」信号→「Ｒ，負」信号→「Ｂ，負」信号→「Ｇ，負」信号の表示信号が順に供給される。
【０１２５】
配置例１４の走査順序は、ＲＲ→ＧＧ→ＢＢであるが、この走査順序は、ＢＢ→ＧＧ→ＲＲ、ＢＲ→ＧＧ→ＲＢ、ＲＢ→ＧＧ→ＢＲなどであってもよい。
【０１２６】
〔配置例１５〕
図２０に、配置例１５の構成説明図を示す。図２０の破線で囲まれたブロックにおいて、１列目の液晶セルとデータ線Ｄ１，Ｄ２との接続関係について説明する。液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）は、データ線Ｄ１に接続されている。液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）は、データ線Ｄ２に接続されている。２列目の液晶セルとデータ線Ｄ３，Ｄ４との接続関係について説明する。液晶セル（２，Ｒ１）、液晶セル（２，Ｂ１）、液晶セル（２，Ｇ２）、液晶セル（２，Ｒ３）、液晶セル（２，Ｂ３）、液晶セル（２，Ｇ４）は、データ線Ｄ３に接続されている。液晶セル（２，Ｇ１）、液晶セル（２，Ｒ２）、液晶セル（２，Ｂ２）、液晶セル（２，Ｇ３）、液晶セル（２，Ｒ４）、液晶セル（２，Ｂ４）は、データ線Ｄ４に接続されている。
【０１２７】
１列目及び２列目の液晶セルと走査線Ｇ１〜Ｇ１２との接続関係について説明する。液晶セル（１，Ｒ１）と液晶セル（２，Ｒ１）は走査線Ｇ１に接続され、液晶セル（１，Ｇ１）及び液晶セル（２，Ｇ１）は走査線Ｇ２に接続され、液晶セル（１，Ｂ１）及び液晶セル（２，Ｂ１）は走査線Ｇ３に接続されている。液晶セル（１，Ｒ２）及び液晶セル（２，Ｒ２）は走査線Ｇ４に接続され、液晶セル（１，Ｇ２）及び液晶セル（２，Ｇ２）は走査線Ｇ５に接続され、液晶セル（１，Ｂ２）及び液晶セル（２，Ｂ２）は走査線Ｇ６に接続されている。液晶セル（１，Ｒ３）及び液晶セル（２，Ｒ３）は走査線Ｇ７に接続され、液晶セル（１，Ｇ３）及び液晶セル（２，Ｇ３）は走査線Ｇ８に接続され、液晶セル（１，Ｂ３）及び液晶セル（２，Ｂ３）は走査線Ｇ９に接続されている。液晶セル（１，Ｒ４）及び液晶セル（２，Ｒ４）は走査線Ｇ１０に接続され、液晶セル（１，Ｇ４）及び液晶セル（２，Ｇ４）は走査線Ｇ１１に接続され、液晶セル（１，Ｂ４）及び液晶セル（２，Ｂ４）は走査線Ｇ１２に接続されている。
【０１２８】
図２０の右端に説明されているように、配置例１５では、視感度が高いグリーン色については、同一の走査期間に、グリーン色の走査線どうしを同時に選択する。しかし、レッド色については、同一の走査期間に、ブルー色を同時に選択し、ブルー色については、レッド色を同時に選択する。第１走査期間にグリーン色に対応する走査線Ｇ２，Ｇ５を同時に駆動し、第２走査期間にブルー色に対応する走査線Ｇ３とレッド色に対応する走査線Ｇ４を同時に駆動し、第３走査期間にレッド色に対応する走査線Ｇ１とブルー色に対応する走査線Ｇ６を同時に駆動する。また、第４走査期間にグリーン色に対応する走査線Ｇ８，Ｇ１１を同時に駆動し、第５走査期間にブルー色に対応する走査線Ｇ９とレッド色に対応する走査線Ｇ１０を同時に駆動し、第６走査期間にレッド色に対応する走査線Ｇ７とブルー色に対応する走査線Ｇ１２を同時に駆動する。この走査順序を、色に注目して、ＧＧ→ＢＲ→ＲＢと表す。配置例１５は、２Ｈ１Ｖドット反転表示（Ｈ：水平，Ｖ：垂直）であり、データ信号線は、１走査期間ごとに極性を反転する。
【０１２９】
破線で囲まれた２列×１２行のブロックを走査する６走査期間内に、データ線Ｄ１に接続された液晶セル（１，Ｇ２）、液晶セル（１，Ｂ１）、液晶セル（１，Ｒ１）、液晶セル（１，Ｇ４）、液晶セル（１，Ｂ３）、液晶セル（１，Ｒ３）に供給される表示信号の色と極性とを説明する。図示されているとおり、データ線Ｄ１には、データ線駆動回路によって、「Ｇ，正」信号→「Ｂ，負」信号→「Ｒ，正」信号→「Ｇ，負」信号→「Ｂ，正」信号→「Ｒ，負」信号が順に供給されている。また、データ線Ｄ２に接続された液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）には、図示されているとおり、「Ｇ，負」信号→「Ｒ，正」信号→「Ｂ，負」信号→「Ｇ，正」信号→「Ｒ，負」信号→「Ｂ，正」信号の表示信号が順に供給される。
【０１３０】
データ線Ｄ３に接続された液晶セル（２，Ｇ２）、液晶セル（２，Ｂ１）、液晶セル（２，Ｒ１）、液晶セル（２，Ｇ４）、液晶セル（２，Ｂ３）、液晶セル（２，Ｒ３）には、図示されているとおり、「Ｇ，負」信号→「Ｂ，正」信号→「Ｒ，負」信号→「Ｇ，正」信号→「Ｂ，負」信号→「Ｒ，正」信号の表示信号が順に供給される。また、データ線Ｄ４に接続された液晶セル（２，Ｇ１）、液晶セル（２，Ｒ２）、液晶セル（２，Ｂ２）、液晶セル（２，Ｇ３）、液晶セル（２，Ｒ４）、液晶セル（２，Ｂ４）には、図示されているとおり、「Ｇ，正」信号→「Ｒ，負」信号→「Ｂ，正」信号→「Ｇ，負」信号→「Ｒ，正」信号→「Ｂ，負」信号の表示信号が順に供給される。
【０１３１】
配置例１５の走査順序は、ＧＧ→ＢＲ→ＲＢであるが、この走査順序は、真逆（正反対）のＲＢ→ＢＲ→ＧＧなどであってもよい。
【０１３２】
図２１のタイミングチャートを参照して、配置例１５の動作を説明する。図２１において、水平同期信号Ｈｓｙｎｃは、１水平期間ごとに同期をとるための制御信号であり、１水平期間の２／３の長さの時間が１走査期間（１Ｇ＝２／３Ｈ）になっている。表示信号Ｄ１，Ｄ２は、データ線駆動回路から出力されるアナログ信号であり、走査信号Ｇ１〜Ｇ１２は、走査線駆動回路から出力されるデジタル信号である。
【０１３３】
図２１において、第１走査期間に走査線Ｇ２，Ｇ５が駆動され、走査信号Ｇ２，Ｇ５がオンになる。データ線Ｄ１に「Ｇ，正」信号が供給され、データ線Ｄ２に「Ｇ，負」信号が供給される。第２走査期間に走査線Ｇ３，Ｇ４が駆動され、走査信号Ｇ３，Ｇ４がオンになる。データ線Ｄ１に「Ｂ，負」信号が供給され、データ線Ｄ２に「Ｒ，正」信号が供給される。第３走査期間に走査線Ｇ１，Ｇ６が駆動され、走査信号Ｇ１，Ｇ６がオンになる。データ線Ｄ１に「Ｒ，正」信号が供給され、データ線Ｄ２に「Ｂ，負」信号が供給される。
【０１３４】
第４走査期間に走査線Ｇ８，Ｇ１１が駆動され、走査信号Ｇ８，Ｇ１１がオンになる。データ線Ｄ１に「Ｇ，負」信号が供給され、データ線Ｄ２に「Ｇ，正」信号が供給される。第５走査期間に走査線Ｇ９，Ｇ１０が駆動され、走査信号Ｇ９，Ｇ１０がオンになる。データ線Ｄ１に「Ｂ，正」信号が供給され、データ線Ｄ２に「Ｒ，負」信号が供給される。第６走査期間に走査線Ｇ７，Ｇ１２が駆動され、走査信号Ｇ７，Ｇ１２がオンになる。データ線Ｄ１に「Ｒ，負」信号が供給され、データ線Ｄ２に「Ｂ，正」信号が供給される。
【０１３５】
〔配置例１６〕
図２２に、配置例１６の構成図を示す。図２２の破線で囲まれたブロックにおいて、１列目の液晶セルとデータ線Ｄ１，Ｄ２との接続関係について説明する。液晶セル（１，Ｒ１）、液晶セル（１，Ｇ１）、液晶セル（１，Ｂ１）、液晶セル（１，Ｒ３）、液晶セル（１，Ｇ３）、液晶セル（１，Ｂ３）は、データ線Ｄ１に接続されている。液晶セル（１，Ｒ２）、液晶セル（１，Ｇ２）、液晶セル（１，Ｂ２）、液晶セル（１，Ｒ４）、液晶セル（１，Ｇ４）、液晶セル（１，Ｂ４）は、データ線Ｄ２に接続されている。２列目の液晶セルとデータ線Ｄ３，Ｄ４との接続関係について説明する。液晶セル（２，Ｒ１）、液晶セル（２，Ｇ１）、液晶セル（２，Ｂ１）、液晶セル（２，Ｒ３）、液晶セル（２，Ｇ３）、液晶セル（２，Ｂ３）は、データ線Ｄ３に接続されている。液晶セル（２，Ｒ２）、液晶セル（２，Ｇ２）、液晶セル（２，Ｂ２）、液晶セル（２，Ｒ４）、液晶セル（２，Ｇ４）、液晶セル（２，Ｂ４）は、データ線Ｄ４に接続されている。
【０１３６】
１列目及び２列目の液晶セルと走査線Ｇ１〜Ｇ１２との接続関係について説明する。液晶セル（１，Ｒ１）と液晶セル（２，Ｒ１）は走査線Ｇ１に接続され、液晶セル（１，Ｇ１）及び液晶セル（２，Ｇ１）は走査線Ｇ２に接続され、液晶セル（１，Ｂ１）及び液晶セル（２，Ｂ１）は走査線Ｇ３に接続されている。液晶セル（１，Ｒ２）及び液晶セル（２，Ｒ２）は走査線Ｇ４に接続され、液晶セル（１，Ｇ２）及び液晶セル（２，Ｇ２）は走査線Ｇ５に接続され、液晶セル（１，Ｂ２）及び液晶セル（２，Ｂ２）は走査線Ｇ６に接続されている。液晶セル（１，Ｒ３）及び液晶セル（２，Ｒ３）は走査線Ｇ７に接続され、液晶セル（１，Ｇ３）及び液晶セル（２，Ｇ３）は走査線Ｇ８に接続され、液晶セル（１，Ｂ３）及び液晶セル（２，Ｂ３）は走査線Ｇ９に接続されている。液晶セル（１，Ｒ４）及び液晶セル（２，Ｒ４）は走査線Ｇ１０に接続され、液晶セル（１，Ｇ４）及び液晶セル（２，Ｇ４）は走査線Ｇ１１に接続され、液晶セル（１，Ｂ４）及び液晶セル（２，Ｂ４）は走査線Ｇ１２に接続されている。
【０１３７】
図２２の右端に説明されているように、配置例１６では、視感度が高いグリーン色については、同一の走査期間に、グリーン色の走査線どうしを同時に選択する。しかし、レッド色については、同一の走査期間に、ブルー色を同時に選択し、ブルー色については、レッド色を同時に選択する。第１走査期間にグリーン色に対応する走査線Ｇ２，Ｇ５を同時に駆動し、第２走査期間にレッド色に対応する走査線Ｇ１とブルー色に対応する走査線Ｇ６を同時に駆動し、第３走査期間にブルー色に対応する走査線Ｇ３とレッド色に対応する走査線Ｇ４を同時に駆動する。また、第４走査期間にグリーン色に対応する走査線Ｇ８，Ｇ１１を同時に駆動し、第５走査期間にレッド色に対応する走査線Ｇ７とブルー色に対応する走査線Ｇ１２を同時に駆動し、第６走査期間にブルー色に対応する走査線Ｇ９とレッド色に対応する走査線Ｇ１０を同時に駆動する。配置例１６は、２Ｈ１Ｖドット反転表示であり、データ信号線は、１走査期間ごとに極性を反転する。
【０１３８】
破線で囲まれた２列×１２行のブロックを走査する６走査期間内に、データ線Ｄ１に接続された液晶セル（１，Ｇ１）、液晶セル（１，Ｒ１）、液晶セル（１，Ｂ１）、液晶セル（１，Ｇ３）、液晶セル（１，Ｒ３）、液晶セル（１，Ｂ３）に供給される表示信号の色と極性とを説明する。図示されているとおり、データ線Ｄ１には、データ線駆動回路によって、「Ｇ，正」信号→「Ｒ，負」信号→「Ｂ，正」信号→「Ｇ，負」信号→「Ｒ，正」信号→「Ｂ，負」信号が順に供給されている。また、データ線Ｄ２に接続された液晶セル（１，Ｇ２）、液晶セル（１，Ｂ２）、液晶セル（１，Ｒ２）、液晶セル（１，Ｇ４）、液晶セル（１，Ｂ４）、液晶セル（１，Ｒ４）には、図示されているとおり、「Ｇ，負」信号→「Ｂ，正」信号→「Ｒ，負」信号→「Ｇ，正」信号→「Ｂ，負」信号→「Ｒ，正」信号の表示信号が順に供給される。
【０１３９】
データ線Ｄ３に接続された液晶セル（２，Ｇ１）、液晶セル（２，Ｒ１）、液晶セル（２，Ｂ１）、液晶セル（２，Ｇ３）、液晶セル（２，Ｒ３）、液晶セル（２，Ｂ３）には、図示されているとおり、「Ｇ，負」信号→「Ｒ，正」信号→「Ｂ，負」信号→「Ｇ，正」信号→「Ｒ，負」信号→「Ｂ，正」信号の表示信号が順に供給される。また、データ線Ｄ４に接続された液晶セル（２，Ｇ２）、液晶セル（２，Ｂ２）、液晶セル（２，Ｒ２）、液晶セル（２，Ｇ４）、液晶セル（２，Ｂ４）、液晶セル（２，Ｒ４）には、図示されているとおり、「Ｇ，正」信号→「Ｂ，負」信号→「Ｒ，正」信号→「Ｇ，負」信号→「Ｂ，正」信号→「Ｒ，負」信号の表示信号が順に供給される。
【０１４０】
配置例１６の走査順序は、ＧＧ→ＲＢ→ＢＲであるが、この走査順序は、真逆のＢＲ→ＲＢ→ＧＧなどであってもよい。
【０１４１】
〔配置例１７〕
図２３に、配置例１７の構成説明図を示す。配置例１７は、配置例１５，１６を改良したものである。配置例１７も、一つのブロックは、２列×１２行である。１列目の液晶セルとデータ線Ｄ１，Ｄ２との接続関係について説明する。液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）、及びダミー液晶セル（１，Ｇ０）は、データ線Ｄ１に接続されている。液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）、ダミー液晶セル（１，Ｒ０）、及びダミー液晶セル（１，Ｂ０）は、データ線Ｄ２に接続されている。２列目の液晶セルとデータ線Ｄ３，Ｄ４との接続関係について説明する。液晶セル（２，Ｒ１）、液晶セル（２，Ｂ１）、液晶セル（２，Ｇ２）、液晶セル（２，Ｒ３）、液晶セル（２，Ｂ３）、液晶セル（２，Ｇ４）、及びダミー液晶セル（２，Ｇ０）は、データ線Ｄ３に接続されている。液晶セル（２，Ｇ１）、液晶セル（２，Ｒ２）、液晶セル（２，Ｂ２）、液晶セル（２，Ｇ３）、液晶セル（２，Ｒ４）、液晶セル（２，Ｂ４）、ダミー液晶セル（２，Ｒ０）、及びダミー液晶セル（２，Ｂ０）は、データ線Ｄ４に接続されている。
【０１４２】
１列目及び２列目の液晶セルと走査線Ｇ１〜Ｇ１２との接続関係について説明する。液晶セル（１，Ｒ１）と液晶セル（２，Ｒ１）は走査線Ｇ１に接続され、液晶セル（１，Ｇ１）及び液晶セル（２，Ｇ１）は走査線Ｇ２に接続され、液晶セル（１，Ｂ１）及び液晶セル（２，Ｂ１）は走査線Ｇ３に接続されている。液晶セル（１，Ｒ２）及び液晶セル（２，Ｒ２）は走査線Ｇ４に接続され、液晶セル（１，Ｇ２）及び液晶セル（２，Ｇ２）は走査線Ｇ５に接続され、液晶セル（１，Ｂ２）及び液晶セル（２，Ｂ２）は走査線Ｇ６に接続されている。液晶セル（１，Ｒ３）及び液晶セル（２，Ｒ３）は走査線Ｇ７に接続され、液晶セル（１，Ｇ３）及び液晶セル（２，Ｇ３）は走査線Ｇ８に接続され、液晶セル（１，Ｂ３）及び液晶セル（２，Ｂ３）は走査線Ｇ９に接続されている。液晶セル（１，Ｒ４）及び液晶セル（２，Ｒ４）は走査線Ｇ１０に接続され、液晶セル（１，Ｇ４）及び液晶セル（２，Ｇ４）は走査線Ｇ１１に接続され、液晶セル（１，Ｂ４）及び液晶セル（２，Ｂ４）は走査線Ｇ１２に接続されている。また、ダミー液晶セル（１，Ｒ０）とダミー液晶セル（２，Ｒ０）はダミー走査線Ｇｄ１に接続され、ダミー液晶セル（１，Ｇ０）及びダミー液晶セル（２，Ｇ０）はダミー走査線Ｇｄ２に接続され、ダミー液晶セル（１，Ｂ０）及びダミー液晶セル（２，Ｂ０）はダミー走査線Ｇｄ３に接続されている。
【０１４３】
図２３の右端に説明されているように、配置例１７では、フレームを２つ表示するごとに、同時に選択される走査線を入れ換えている。すなわち、第１，第２フレームにおける走査順序と、第３，第４フレームにおける走査順序とは異なる。第１，第２フレームにおいては、第１走査期間に走査線Ｇ２，Ｇ５を駆動し、第２走査期間に走査線Ｇ３，Ｇ４を駆動し、第３走査期間に走査線Ｇ１，Ｇ６を駆動する。また、第４走査期間に走査線Ｇ８，Ｇ１１を駆動し、第５走査期間に走査線Ｇ９，Ｇ１０を駆動し、第６走査期間に走査線Ｇ７，Ｇ１２を駆動する。一方、第３，第４フレームにおいては、第１走査期間に走査線Ｇｄ２，Ｇ２を駆動し、第２走査期間に走査線Ｇｄ３，Ｇ１を駆動し、第３走査期間に走査線Ｇｄ１，Ｇ３を駆動する。また、第４走査期間に走査線Ｇ５，Ｇ８を駆動し、第５走査期間に走査線Ｇ６，Ｇ７を駆動し、第６走査期間に走査線Ｇ４，Ｇ９を駆動する。また、第７走査期間に走査線Ｇ１１，Ｇ１４を駆動し、第８走査期間に走査線Ｇ１２，Ｇ１３を駆動し、第９走査期間に走査線Ｇ１０，Ｇ１５を駆動する。
【０１４４】
第１フレームにおいて、２列×１２行のブロックを走査する第１〜第６走査期間に、データ線Ｄ１に接続された液晶セル（１，Ｇ２）、液晶セル（１，Ｂ１）、液晶セル（１，Ｒ１）、液晶セル（１，Ｇ４）、液晶セル（１，Ｂ３）、液晶セル（１，Ｒ３）に供給される表示信号の色と極性とを説明する。図示されているとおり、データ線Ｄ１には、データ線駆動回路によって、「Ｇ，正」信号→「Ｂ，負」信号→「Ｒ，正」信号→「Ｇ，負」信号→「Ｂ，正」信号→「Ｒ，負」信号が順に供給されている。また、データ線Ｄ２に接続された液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）には、図示されているとおり、「Ｇ，負」信号→「Ｒ，正」信号→「Ｂ，負」信号→「Ｇ，正」信号→「Ｒ，負」信号→「Ｂ，正」信号の表示信号が順に供給される。第２フレームでは、すべての液晶セルの電圧極性が反転されるように表示信号が供給される。
【０１４５】
第３フレームにおいて、第１〜第９走査期間内に、データ線Ｄ１に接続された液晶セル（１，Ｇ０）、液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）、並びに、液晶セル（１，Ｒ５）、液晶セル（１，Ｂ５）に供給される表示信号の色と極性とを説明する。図示されているとおり、データ線Ｄ１には、データ線駆動回路によって、「Ｇ，負」信号→「Ｒ，正」信号→「Ｂ，負」信号→「Ｇ，正」信号→「Ｒ，負」信号→「Ｂ，正」信号→「Ｇ，負」信号→「Ｒ，正」信号→「Ｂ，負」信号が順に供給されている。また、データ線Ｄ２に接続された液晶セル（１，Ｇ１）、液晶セル（１，Ｂ０）、液晶セル（１，Ｒ０）、液晶セル（１，Ｇ３）、液晶セル（１，Ｂ２）、液晶セル（１，Ｒ２）、液晶セル（１，Ｇ５）、液晶セル（１，Ｂ４）、液晶セル（１，Ｒ４）には、図示されているとおり、「Ｇ，負」信号→「Ｂ，正」信号→「Ｒ，負」信号→「Ｇ，正」信号→「Ｂ，負」信号→「Ｒ，正」信号→「Ｇ，負」信号→「Ｂ，正」信号→「Ｒ，負」信号の表示信号が順に供給される。第４フレームでは、すべての液晶セルの電圧極性が反転されるように表示信号が供給される。
【０１４６】
第１フレームにおいて、第１〜第６走査期間に、データ線Ｄ３に接続された液晶セル（２，Ｇ２）、液晶セル（２，Ｂ１）、液晶セル（２，Ｒ１）、液晶セル（２，Ｇ４）、液晶セル（２，Ｂ３）、液晶セル（２，Ｒ３）には、図示されているとおり、「Ｇ，負」信号→「Ｂ，正」信号→「Ｒ，負」信号→「Ｇ，正」信号→「Ｂ，負」信号→「Ｒ，正」信号の表示信号が順に供給される。また、データ線Ｄ４に接続された液晶セル（２，Ｇ１）、液晶セル（２，Ｒ２）、液晶セル（２，Ｂ２）、液晶セル（２，Ｇ３）、液晶セル（２，Ｒ４）、液晶セル（２，Ｂ４）には、図示されているとおり、「Ｇ，正」信号→「Ｒ，負」信号→「Ｂ，正」信号→「Ｇ，負」信号→「Ｒ，正」信号→「Ｂ，負」信号の表示信号が順に供給される。第２フレームでは、すべての液晶セルの電圧極性が反転されるように表示信号が供給される。
【０１４７】
第３フレームにおいて、第１〜第９走査期間に、データ線Ｄ３に接続された液晶セル（２，Ｇ０）、液晶セル（２，Ｒ１）、液晶セル（２，Ｂ１）、液晶セル（２，Ｇ２）、液晶セル（２，Ｒ３）、液晶セル（２，Ｂ３）、液晶セル（２，Ｇ４）、並びに、液晶セル（２，Ｒ５）、液晶セル（２，Ｂ５）には、図示されているとおり、「Ｇ，正」信号→「Ｒ，負」信号→「Ｂ，正」信号→「Ｇ，負」信号→「Ｒ，正」信号→「Ｂ，負」信号→「Ｇ，正」信号→「Ｒ，負」信号→「Ｂ，正」信号の表示信号が順に供給される。また、データ線Ｄ４に接続された液晶セル（２，Ｇ１）、液晶セル（２，Ｂ０）、液晶セル（２，Ｒ０）、液晶セル（２，Ｇ３）、液晶セル（２，Ｂ２）、液晶セル（２，Ｒ２）、液晶セル（２，Ｇ５）、液晶セル（２，Ｂ４）、液晶セル（２，Ｒ４）には、図示されているとおり、「Ｇ，正」信号→「Ｂ，負」信号→「Ｒ，正」信号→「Ｇ，負」信号→「Ｂ，正」信号→「Ｒ，負」信号→「Ｇ，正」信号→「Ｂ，負」信号→「Ｒ，正」信号の表示信号が順に供給される。第４フレームでは、すべての液晶セルの電圧極性が反転されるように表示信号が供給される。
【０１４８】
〔配置例１８〕
図２４に、配置例１８の構成説明図を示す。配置例１８は、配置例１５を変形したものであり、データ線Ｄ２，Ｄ３の間の中心線を軸にミラー反転を行ったものである。配置例１８と、配置例１５とでは、ＴＦＴの位置が異なっている。図２４の破線で囲まれたブロックにおいて、１列目の液晶セルとデータ線Ｄ１，Ｄ２との接続関係について説明する。液晶セル（１，Ｒ１）、液晶セル（１，Ｂ１）、液晶セル（１，Ｇ２）、液晶セル（１，Ｒ３）、液晶セル（１，Ｂ３）、液晶セル（１，Ｇ４）は、データ線Ｄ１に接続されている。液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）は、データ線Ｄ２に接続されている。２列目の液晶セルとデータ線Ｄ３，Ｄ４との接続関係について説明する。液晶セル（２，Ｇ１）、液晶セル（２，Ｒ２）、液晶セル（２，Ｂ２）、液晶セル（２，Ｇ３）、液晶セル（２，Ｒ４）、液晶セル（２，Ｂ４）は、データ線Ｄ３に接続されている。液晶セル（２，Ｒ１）、液晶セル（２，Ｂ１）、液晶セル（２，Ｇ２）、液晶セル（２，Ｒ３）、液晶セル（２，Ｂ３）、液晶セル（２，Ｇ４）は、データ線Ｄ４に接続されている。
【０１４９】
１列目及び２列目の液晶セルと走査線Ｇ１〜Ｇ１２との接続関係について説明する。液晶セル（１，Ｒ１）と液晶セル（２，Ｒ１）は走査線Ｇ１に接続され、液晶セル（１，Ｇ１）及び液晶セル（２，Ｇ１）は走査線Ｇ２に接続され、液晶セル（１，Ｂ１）及び液晶セル（２，Ｂ１）は走査線Ｇ３に接続されている。液晶セル（１，Ｒ２）及び液晶セル（２，Ｒ２）は走査線Ｇ４に接続され、液晶セル（１，Ｇ２）及び液晶セル（２，Ｇ２）は走査線Ｇ５に接続され、液晶セル（１，Ｂ２）及び液晶セル（２，Ｂ２）は走査線Ｇ６に接続されている。液晶セル（１，Ｒ３）及び液晶セル（２，Ｒ３）は走査線Ｇ７に接続され、液晶セル（１，Ｇ３）及び液晶セル（２，Ｇ３）は走査線Ｇ８に接続され、液晶セル（１，Ｂ３）及び液晶セル（２，Ｂ３）は走査線Ｇ９に接続されている。液晶セル（１，Ｒ４）及び液晶セル（２，Ｒ４）は走査線Ｇ１０に接続され、液晶セル（１，Ｇ４）及び液晶セル（２，Ｇ４）は走査線Ｇ１１に接続され、液晶セル（１，Ｂ４）及び液晶セル（２，Ｂ４）は走査線Ｇ１２に接続されている。
【０１５０】
図２４の右端に説明されているように、配置例１８では、視感度が高いグリーン色については、同一の走査期間に、グリーン色の走査線どうしを同時に選択する。しかし、レッド色については、同一の走査期間に、ブルー色を同時に選択し、ブルー色については、レッド色を同時に選択する。第１走査期間にグリーン色に対応する走査線Ｇ２，Ｇ５を同時に駆動し、第２走査期間にブルー色に対応する走査線Ｇ３とレッド色に対応する走査線Ｇ４を同時に駆動し、第３走査期間にレッド色に対応する走査線Ｇ１とブルー色に対応する走査線Ｇ６を同時に駆動する。また、第４走査期間にグリーン色に対応する走査線Ｇ８，Ｇ１１を同時に駆動し、第５走査期間にブルー色に対応する走査線Ｇ９とレッド色に対応する走査線Ｇ１０を同時に駆動し、第６走査期間にレッド色に対応する走査線Ｇ７とブルー色に対応する走査線Ｇ１２を同時に駆動する。配置例１８は、２Ｈ１Ｖドット反転表示である。
【０１５１】
破線で囲まれた２列×１２行のブロックを走査する６走査期間内に、データ線Ｄ１に接続された液晶セル（１，Ｇ２）、液晶セル（１，Ｂ１）、液晶セル（１，Ｒ１）、液晶セル（１，Ｇ４）、液晶セル（１，Ｂ３）、液晶セル（１，Ｒ３）に供給される表示信号の色と極性とを説明する。図示されているとおり、データ線Ｄ１には、データ線駆動回路によって、「Ｇ，正」信号→「Ｂ，負」信号→「Ｒ，正」信号→「Ｇ，負」信号→「Ｂ，正」信号→「Ｒ，負」信号が順に供給されている。また、データ線Ｄ２に接続された液晶セル（１，Ｇ１）、液晶セル（１，Ｒ２）、液晶セル（１，Ｂ２）、液晶セル（１，Ｇ３）、液晶セル（１，Ｒ４）、液晶セル（１，Ｂ４）には、図示されているとおり、「Ｇ，負」信号→「Ｒ，正」信号→「Ｂ，負」信号→「Ｇ，正」信号→「Ｒ，負」信号→「Ｂ，正」信号の表示信号が順に供給される。
【０１５２】
データ線Ｄ３に接続された液晶セル（２，Ｇ１）、液晶セル（２，Ｒ２）、液晶セル（２，Ｂ２）、液晶セル（２，Ｇ３）、液晶セル（２，Ｒ４）、液晶セル（２，Ｂ４）には、図示されているとおり、「Ｇ，正」信号→「Ｒ，負」信号→「Ｂ，正」信号→「Ｇ，負」信号→「Ｒ，正」信号→「Ｂ，負」信号の表示信号が順に供給される。また、データ線Ｄ４に接続された液晶セル（２，Ｇ２）、液晶セル（２，Ｂ１）、液晶セル（２，Ｒ１）、液晶セル（２，Ｇ４）、液晶セル（２，Ｂ３）、液晶セル（２，Ｒ３）には、図示されているとおり、「Ｇ，負」信号→「Ｂ，正」信号→「Ｒ，負」信号→「Ｇ，正」信号→「Ｂ，負」信号→「Ｒ，正」信号の表示信号が順に供給される。
【０１５３】
配置例１５をミラー反転した配置例１８のように、配置例１３をミラー反転した配置例、配置例１４をミラー反転した配置例、配置例１６をミラー反転した配置例なども実現できる。
【図面の簡単な説明】
【０１５４】
【図１】本発明による液晶表示装置の構成を説明するブロック図である。
【図２】配置例１における液晶セル、データ線、走査線の配列説明図である。
【図３】データ線駆動回路の構成説明図である。
【図４】データ線駆動回路の動作について説明するタイミングチャートである。
【図５】配置例２における配列構成の説明図である。
【図６】配置例３における配列構成の説明図である。
【図７】配置例４における配列構成の説明図である。
【図８】配置例５における配列構成の説明図である。
【図９】配置例６における配列構成の説明図である。
【図１０】配置例７における配列構成の説明図である。
【図１１】配置例９における配列構成の説明図である。
【図１２】配置例１０における配列構成の説明図である。
【図１３】配置例１１における配列構成の説明図である。
【図１４】表示信号の極性についての説明図である。
【図１５Ａ】データ線駆動回路における極性切換部の構成説明図である。
【図１５Ｂ】データ線駆動回路における極性切換部の構成説明図である。
【図１５Ｃ】データ線駆動回路における極性切換部の構成説明図である。
【図１５Ｄ】データ線駆動回路における極性切換部の構成説明図である。
【図１６】配置例１２における配列構成の説明図である。
【図１７Ａ】データ線駆動回路における極性切換部の構成説明図である。
【図１７Ｂ】データ線駆動回路における極性切換部の構成説明図である。
【図１８】配置例１３における配列構成の説明図である。
【図１９】配置例１４における配列構成の説明図である。
【図２０】配置例１５における配列構成の説明図である。
【図２１】配置例１５における動作を説明するタイミングチャートである。
【図２２】配置例１６における配列構成の説明図である。
【図２３】配置例１７における配列構成の説明図である。
【図２４】配置例１８における配列構成の説明図である。
【符号の説明】
【０１５５】
１  液晶表示装置
２  液晶パネル
３ａ，３ｂ  データ線駆動回路
４  中和スイッチ
５ａ，５ｂ  走査線駆動回路
１０  信号制御部
５０，６０  駆動部
５１，６１  Ｄ／Ａ変換部
５２，５３，６２，６３，７１〜７４  スイッチ
５５，６５  階調電圧生成部
７０  極性切換部
８１〜８４  出力端子
Ｇ１，Ｇ２，Ｇ３，・・・，Ｇ２ｎ−１，Ｇ２ｎ  走査線（ゲート線）
Ｄ１，Ｄ２，Ｄ３，・・・，Ｄｍ／２−１，Ｄｍ／２，Ｄｍ／２＋１  データ線（ソース線）
【図１】
2010102189.tif 000003
【図２】
2010102189.tif 000004
【図３】
2010102189.tif 000005
【図４】
2010102189.tif 000006
【図５】
2010102189.tif 000007
【図６】
2010102189.tif 000008
【図７】
2010102189.tif 000009
【図８】
2010102189.tif 000010
【図９】
2010102189.tif 000011
【図１０】
2010102189.tif 000012
【図１１】
2010102189.tif 000013
【図１２】
2010102189.tif 000014
【図１３】
2010102189.tif 000015
【図１４】
2010102189.tif 000016
【図１５Ａ】
2010102189.tif 000017
【図１５Ｂ】
2010102189.tif 000018
【図１５Ｃ】
2010102189.tif 000019
【図１５Ｄ】
2010102189.tif 000020
【図１６】
2010102189.tif 000021
【図１７Ａ】
2010102189.tif 000022
【図１７Ｂ】
2010102189.tif 000023
【図１８】
2010102189.tif 000024
【図１９】
2010102189.tif 000025
【図２０】
2010102189.tif 000026
【図２１】
2010102189.tif 000027
【図２２】
2010102189.tif 000028
【図２３】
2010102189.tif 000029
【図２４】
2010102189.tif 000030